(57)【要約】【課題】  付勢巻取り式携帯補助具を目立たなくするとともに、吊り下げた携帯品を首根っこに近接する高いところまで上げ係留でき且つ携帯品の上下移動が自在に行なえ好みの位置に係留することができる付勢巻取り式携帯補助具および携帯補助具付き携帯品を提供することを目的としている。【解決手段】  筐体２の内部に設けられた付勢巻取り機構部３と、この付勢巻取り機構部３から筐体２外に引き出された左リール紐４ａ、右リール紐４ｂの一対の紐で外側でループを形成するループ紐４と、付勢巻取り機構部３の上方に設けられた付勢巻取り機構部３の付勢回転を左リール紐４ａ、右リール紐４ｂを付勢挟持（噛み挟持）してロック状態とし且つ摘んだ指で押え押し込んでロック状態を解除する押し込みボタン形態のロック解除操作部５を筐体２の外に突出させたロック機構部６とからなっている。【選択図】図１
2008183071.tif 000002
【特許請求の範囲】
【請求項１】
筐体と、
この筐体に設けられた発条などの付勢力により付勢巻取り回転するリールと、
このリールに付勢巻取状態で前記筐体外に引き出されるリール紐と、
前記リールの上方に設けられた前記リールの付勢巻取り回転をロックするロック機構部と、
前記リールのロック状態を解除する前記ロック機構部の一部であるロック解除操作部とからなることを特徴とする付勢巻取り式携帯補助具。
【請求項２】
リール紐が適当な間隔をあけて設けられた左引出し口、右引出し口から引き出される左リール紐、右リール紐の一対のリール紐であることを特徴とする請求項１記載の付勢巻取り式携帯補助具。
【請求項３】
ロック解除操作部が押し出し付勢力に抗して指で押え込む押さえ込みボタンであるとともに、筐体と前記押さえ込みボタンを主に親指と人差し指で摘み押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする請求項１、２いずれか記載の付勢巻取り式携帯補助具。
【請求項４】
携帯電話などの携帯品の裏側に筐体のリールを有する部位を位置させ且つロック解除操作部を前記携帯品の外上方に位置するように取り付けるための取付部を前記筐体に設けてなることを特徴とする請求項１〜３いずれか記載の付勢巻取り式携帯補助具。
【請求項５】
筐体の裏側に面ファスナーまたはクリップを設けてなることを特徴とする請求項１〜４いずれか記載の付勢巻取り式携帯補助具。
【請求項６】
携帯電話や携帯音楽プレイヤーや携帯テレビ・ラジオ・携帯カメラ、ＩＣカード、携帯ケースなどの携帯品本体と、
この携帯品本体に設けられた発条などの付勢力により付勢巻取り回転するリールと、
このリールに付勢巻取状態で前記携帯品本体外に引き出される一対のリール紐と、
この一対のリール紐で形成されるあるいは該一対のリール紐と他の部材によって形成される首掛けループ部と、
前記携帯品本体を首から吊り下げた状態で見て該携帯品本体の上部あるいは上部に突出して設けられた前記リールの付勢巻取り回転をロックするロック機構部と、前記リールのロック状態を解除する前記ロック機構部の一部であるロック解除操作部とからなることを特徴とする携帯補助具付き携帯品。
【請求項７】
ロック解除操作部が押し出し付勢力に抗して指で押え込む押さえ込みボタンであるとともに、前記押さえ込みボタンを主に人差し指で押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする請求項６記載の携帯補助具付き携帯品。
【請求項８】
筐体と、
この筐体に設けられた発条などの付勢力により付勢巻取り回転するリールと、
このリールに付勢巻取状態で前記筐体外に引き出される一対のリール紐を形成する第１のリール紐、第２のリール紐と、
前記第１のリール紐の端に設けられた第１のリール紐側着脱パーツと、
前記第２のリール紐の端に設けられた前記第１のリール紐側着脱パーツと連結できる第２のリール紐側着脱パーツと、
首に掛ける平紐と、
この平紐の一方の端に設けられた前記第１のリール紐側着脱パーツに連結できる第１の平紐側着脱パーツと、
前記平紐の他方の端に設けられた前記第２のリール紐側着脱パーツに連結できる第２の平紐側着脱パーツとからなることを特徴とする付勢巻取り式携帯補助具。
【請求項９】
請求項１〜６いずれか記載の発明において、
リール紐がリールに付勢巻取状態で前記筐体外に引き出される一対のリール紐を形成する第１のリール紐、第２のリール紐であり、
前記第１のリール紐の端に第１のリール紐側着脱パーツを設け、
前記第２のリール紐の端に前記第１のリール紐側着脱パーツと連結できる第２のリール紐側着脱パーツを設け、
首に掛ける平紐を設け、
この平紐の一方の端に前記第１のリール紐側着脱パーツに連結できる第１の平紐側着脱パーツを設け、
前記平紐の他方の端に前記第２のリール紐側着脱パーツに連結できる第２の平紐側着脱パーツを設けてなることを特徴とする付勢巻取り式携帯補助具。
【請求項１０】
請求項７、８いずれか記載の発明において、
リール紐がリールに付勢巻取状態で前記筐体外に引き出される一対のリール紐を形成する第１のリール紐、第２のリール紐であり、
前記第１のリール紐の端に第１のリール紐側着脱パーツを設け、
前記第２のリール紐の端に前記第１のリール紐側着脱パーツと連結できる第２のリール紐側着脱パーツを設け、
首に掛ける平紐を設け、
この平紐の一方の端に前記第１のリール紐側着脱パーツに連結できる第１の平紐側着脱パーツを設け、
前記平紐の他方の端に前記第２のリール紐側着脱パーツに連結できる第２の平紐側着脱パーツを設けてなることを特徴とする携帯補助具付き携帯品。
【発明の詳細な説明】
【技術分野】
【０００１】
本発明は、携帯電話、カメラ、音楽プレーヤー、携帯ラジオ・テレビ、携帯ＧＰＳ、ＩＣカード、カードケースなどの携帯品を首から吊るし携行したり腰やバックに吊るし携行するのに適した付勢巻取り式携帯補助具および携帯補助具付き携帯品に関する。
【背景技術】
【０００２】
従来の付勢巻取り式携帯補助具を有するネックストラップ装置には以下に述べるものがある。
（１）  特許文献１（実用新案登録第３０７０７８９号公報）に、筐体と、この筐体に固定され内側に突出した固定軸と、この固定軸に内端を固定してなる発条と、この発条の外端を固定してその戻り付勢力により付勢巻取り回転するリール（巻取りドラム）と、このリールに両端を固定して２重巻き形態で該リールに巻取られる細帯状の首掛けループを形成してなるリール紐（帯紐）と、筐体とリールの中央に設けられた、押すとロックが解除されて付勢巻取り状態となり離すとロックされてリールの回転が止められるようにしてなるロックボタン機構と、筐体の下部から下げられた携帯電話などを吊り下げるためのループ細紐（松葉）と、とからなる付勢巻取り式携帯補助具の発明が開示されている。
（２）  特許文献２（特開平９−２９９１２８号公報）に、発条によりループリール紐を巻取り付勢状態とされた2つのリール（巻取りドラム）をロック・ロック解除するための機構として、筐体とリールの中央に指で抑えスライドさせるロック方向にバネ１０で常に押されているストッパー９が設けられた付勢巻取り式携帯補助具の発明が開示されている。
（３）  特許文献３（特開２００６−５５６２７号公報）の図５１に、首掛けループを形成してなる一対の吊り紐（ロープ）を通し、その一対の吊り紐を付勢挟持してロックするロック機構を有し且つ指で摘みロック解除の内駒を押し込んでロックを解除し上下に移動自在とした移動係留体と、この移動係留体に四角形枠形態の掛け手段を下げ、その掛け手段に携帯電話を吊り下げ、移動係留体から下方にでた一対の吊り紐を掛け手段の中を通して携帯電話の裏に出すようにしてなる携帯品等の下げ具の発明が開示されている。
【０００３】
【特許文献１】実用新案登録第３０７０７８９号公報
【特許文献２】特開平９−２９９１２８号公報
【特許文献３】特開２００６−５５６２７号公報
【非特許文献１】特になし
【発明の開示】
【発明が解決しようとする課題】
【０００４】
上述した従来技術は、筐体とリールの中央にロック解除操作部が設けられ、筐体の下部に細紐からなる携帯電話やカメラなどの携帯品を取り付けるループ細紐を有する形態であるので、付勢巻取り手段全体が携帯品の上方に位置するものであため次に述べるような欠点を有するものであった。
（１）  特許文献１、２の発明は、片手で自在に上げ下げができるのであるが、ネックストラップ形態での使用では、付勢巻取り式携帯補助具が非常に目立ってしまう、携帯品の最大上げ位置が付勢巻取り式携帯補助具本体とループ細紐の分だけ下方になってしまう、すなわち首根っこからかなり下方（どんなに上げてもみぞおち当り）にしか上げられない、そのため携帯品の振れが大きくなってしまうという欠点を有するものであった。
（２）  特許文献１、２の発明は、筐体を大きくしてリールのリール紐の巻取り量を多くすることによって、リール紐の引き出し量を例えば携帯電話を持った腕を延ばしきって携帯電話をかざすことができるようにすることが考えられるが、リール及び筐体が大きくなりすぎて異様に目立ってしまうという欠点を有するものであった。
（３）  特許文献１、２の発明は、ズボンの腰ベルトやベルト通しやバックのベルトにリールから引き出されたリール紐を潜らせ取り付け携行する場合には次のような欠点を有するものであった。
｛１｝  取り付けた携帯電話をズボンのポケットに入れて携行する場合には携帯電話とリールはループ細紐によって繋がれた携帯電話がリールとは離れたブラブラ状態にあるので、片手で携帯電話とリールを同時に一体的に掴むことができず、したがって携帯電話を操作する際には左手で携帯電話を持ち右手でリールを摘みロック解除操作部を押して携帯電話を引き上げ（リール紐を引き出す）るという、両手を使わなければならない（片手では操作できない）という欠点を有するものであった。
｛２｝  携帯電話とリールはループ細紐によって繋がれた少なくとも４ｃｍ以上は離れた形態であり、それにリールの長さが加わって９ｃｍ程度は携帯電話がベルトから離れた形態であるので、その分だけ携帯電話のポケットへの収納位置を好適なものにできない（特にジーパンなどのポケットが上方にあるもの）という欠点を有するものである
｛３｝  携帯電話を腰に単なる吊り状態で携行した場合、ベルトなどの吊り部分からリール＋ループ細紐という少なくとも９ｃｍ程度の吊り部分で携帯電話などの携帯品を吊り下げる状態となるので、携帯電話が歩行動作ごとなどに大きく振れてしまって携行性がとても悪い、常に携帯電話をループ細紐で吊り下げ振れ擦れ状態にあるので、ループ細紐が早期に擦れ傷んでしまうという欠点を有するものであった。
手提げないし肩掛けバックのベルトに下げ携行する場合も、上記と同じように９ｃｍ程度の吊り部分で携帯電話などの携帯品が大きく振れて不具合であるという欠点を有するものであった。
（４）  特許文献３の発明は、首根っこに近接する位置まで携帯電話を上げ係留して振れの小さな携行を実現するものであるが、上に上げるには吊り紐の下方を一方の手で摘み、他方の手で移動係留体を摘み内駒を押し込んでロックを解除して操作しなければならず、片手で上下移動操作を行なえないという欠点を有するものであった。
また、吊り紐が携帯電話の下方に垂れてしまうという欠点を有するものであった。
また、ズボンの腰や腰ベルト、バックのベルトにループ紐を巻き通し掛けた状態で吊っての使用では、両手で上げ下げ操作を行なわなくてはならない、スムーズな操作ができない、吊り紐が長く垂れてしまうという欠点を有するものであった。
【０００５】
本発明は以上のような従来技術の欠点に鑑みてなされたものであって、
（１）  付勢巻取り式携帯補助具を目立たなくするとともに、吊り下げた携帯品を首根っこに近接する高いところまで上げ係留でき且つ携帯品の上下移動が自在に行なえ好みの位置に係留することができる付勢巻取り式携帯補助具および携帯補助具付き携帯品を提供することを目的としている。
（２）  本発明の他の目的は、携帯電話を腰ベルトなどの腰部分に吊り該携帯電話をズボンのポケットに入れて携行する場合には、携帯電話の吊り位置をポケットの好適な位置に調節して止め携行でき且つ片手で携帯電話を持ち耳元まで引き上げ止め通話や操作が行なえることを可能とし、腰ベルトやバックのベルトなどに単に吊りフリー状態で携行する場合は、吊っているベルトと携帯電話との距離が３ｃｍ程度と短く振れ支点がベルトと該ベルトにまわし掛けたリール紐のみとなって小さい振れを実現し且つ片手で携帯電話を持ち耳元まで引き上げ止め通話や操作が行なえることを可能とする付勢巻取り式携帯補助具および携帯補助具付き携帯品を提供することを目的としている。
（３）  本発明の他の目的は前記（１）と（２）の目的を実現する付勢巻取り式携帯補助具および携帯補助具付き携帯品を提供することを目的としている。
【０００６】
本発明の前記ならびのそのほかの目的と新規な特徴は次の説明を添付図面と照らし合わせて読むと、より完全に明らかになるであろう。ただし、図面はもっぱら解説のためであって、本発明の技術的範囲を限定するものではない。
【課題を解決するための手段】
【０００７】
上記目的を達成するために本発明は次に述べるような構成となっている。
（請求項１記載の発明）
筐体と、この筐体に設けられた発条などの付勢力により付勢巻取り回転するリールと、このリールに付勢巻取状態で前記筐体外に引き出されるリール紐と、前記リールの上方に設けられた前記リールの付勢巻取り回転をロックするロック機構部と、
前記リールのロック状態を解除する前記ロック機構部の一部であるロック解除操作部とからなることを特徴とする付勢巻取り式携帯補助具である。
「リール」とは、紐（リール紐）を巻き取る手段を意味し、フランジの無い巻取り軸のみのもの、巻取り軸と一体的に回転する一対ないし１つのフランジを有するものなど多様な巻取り形態を技術的範疇に含むものである。
「筐体」とは、リールを被うケース体形態のもの、フランジの無い巻取り軸のみの場合において、巻取り軸を回転可能に軸受けする一対の回転しない側部の大半が開口した壁形態のものなどを技術的範疇に含むものである。
（請求項２記載の発明）
請求項１記載の発明の構成において、リール紐が適当な間隔をあけて設けられた左引出し口、右引出し口から引き出される左リール紐、右リール紐の一対のリール紐であることを特徴とする付勢巻取り式携帯補助具である。
（請求項３記載の発明）
請求項１、２いずれか記載の発明の構成において、ロック解除操作部が押し出し付勢力に抗して指で押え込む押さえ込みボタンであるとともに、筐体と前記押さえ込みボタンを主に親指と人差し指で摘み押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする付勢巻取り式携帯補助具である。
「リールのロック」は、リール紐を挟持状態、噛み状態等によりロックしてリールもロックする形態、リールそのものに直接当てる嵌めるなどによりロックする形態などがある。
（請求項４記載の発明）
請求項１〜３いずれか記載の発明の構成において、携帯電話などの携帯品の裏側に筐体のリールを有する部位を位置させ且つロック解除操作部を前記携帯品の外上方に位置するように取り付けるための取付部を前記筐体に設けてなることを特徴とする付勢巻取り式携帯補助具である。
「取付部」には、着脱自在に嵌合する形態、面ファスナーにより着脱自在に係着する形態、接着で固定する粘着剤、ネジの締め付けで固定するためのネジネジ通し穴など多様な形態がある。
（請求項５記載の発明）
請求項１〜４いずれか記載の発明の構成において、筐体の裏側に面ファスナーまたはクリップを設けてなることを特徴とする付勢巻取り式携帯補助具である。
（請求項６記載の発明）
携帯電話や携帯音楽プレイヤーや携帯テレビ・ラジオ・携帯カメラ、ＩＣカード、携帯ケースなどの携帯品本体と、この携帯品本体に設けられた発条などの付勢力により付勢巻取り回転するリールと、このリールに付勢巻取状態で前記携帯品本体外に引き出される一対のリール紐と、この一対のリール紐で形成されるあるいは該一対のリール紐と他の部材によって形成される首掛けループ部と、前記携帯品本体を首から吊り下げた状態で見て該携帯品本体の上部あるいは上部に突出して設けられた前記リールの付勢巻取り回転をロックするロック機構部と、前記リールのロック状態を解除する前記ロック機構部の一部であるロック解除操作部とからなることを特徴とする携帯補助具付き携帯品である。
（請求項７記載の発明）
請求項６記載の発明の構成において、ロック解除操作部が押し出し付勢力に抗して指で押え込む押さえ込みボタンであるとともに、前記押さえ込みボタンを主に人差し指で押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする携帯補助具付き携帯品である。
（請求項８記載の発明）
筐体と、この筐体に設けられた発条などの付勢力により付勢巻取り回転するリールと、このリールに付勢巻取状態で前記筐体外に引き出される一対のリール紐を形成する第１のリール紐、第２のリール紐と、前記第１のリール紐の端に設けられた第１のリール紐側着脱パーツと、前記第２のリール紐の端に設けられた前記第１のリール紐側着脱パーツと連結できる第２のリール紐側着脱パーツと、首に掛ける平紐と、この平紐の一方の端に設けられた前記第１のリール紐側着脱パーツに連結できる第１の平紐側着脱パーツと、前記平紐の他方の端に設けられた前記第２のリール紐側着脱パーツに連結できる第２の平紐側着脱パーツとからなることを特徴とする付勢巻取り式携帯補助具である。
（請求項９記載の発明）
請求項１〜６いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とする付勢巻取り式携帯補助具である。
（請求項１０記載の発明）
請求項７、８いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とする携帯補助具付き携帯品である。
【発明の効果】
【０００８】
以上の説明から明らかなように、本発明にあっては次に列挙する効果が得られる。
（請求項１記載の発明の効果）
筐体と、この筐体に設けられた発条などの付勢力により付勢巻取り回転するリールと、このリールに付勢巻取状態で前記筐体外に引き出されるリール紐と、前記リールの上方に設けられた前記リールの付勢巻取り回転をロックするロック機構部と、前記リールのロック状態を解除する前記ロック機構部の一部であるロック解除操作部とからなることを特徴とする付勢巻取り式携帯補助具であるので、
リールを有する筐体部分を携帯電話の裏側に位置するように係止手段で係止したり粘着剤などで固定したり面ファスナーなどの取付手段（取付部）で取付するとともに、ロック解除操作部は携帯電話の外の上方に位置させた取付形態を実現することができる。
これにより、
（１）  取り付けた携帯電話等の携帯品の上げ下げを片手のみで移動させ好みの位置でロック係留を行なうことを可能にできとともに、携帯電話の上方に近接されたロック解除操作部が一体化された形態を実現するので、例えば：首掛けループタイプでは携帯電話を首根っこに近接する部位まで上げることができ、且つ、より振れの小さい携行を可能にするという効果を奏する。
（２）  付勢巻取り式携帯補助具の殆どの部位は携帯電話の裏側に隠れているので、付勢巻取り式携帯補助具が目立つことの無い携行を実現するという効果を奏する。
（３）  携帯電話やカードケース等の携帯品の裏側に筐体を隠す形態を実現するものであるので、携帯電話に隠れる目立たない範囲（はみ出る形態を技術的範疇外とするものではなく、はみ出る形態も技術的範疇にふくまれるものである。）で筐体およびリールを従来のものより遥かに大きいものにできる。すなわち、平紐形状のリール紐を重ね巻取り形態としたものでも、持った手を略のばしきって携帯電話をかざすことを、付勢巻取り式携帯補助具が目立たない形態で実現できるという効果を奏する。
また、リール紐がループ形態では腰ベルトにループ形態のリール紐をまき掛けて腰に携帯電話を吊り状態にした状態で、携帯電話を耳元まで余裕で引き上げ持ってくることができるリール紐の長さを実現することができる。
（４）  腰ベルトやバックのベルトにループ形態のリール紐をまき掛けて携帯電話を吊り状態にした携行では次のような効果を奏する。（一歩のリール紐でも先端にクリップ、玉、面ファスナーバンドを設ける、縛るなどにより同様な効果を得ることができる。）
｛１｝  ズボンのポケットに携帯電話を収納携行する場合は、携帯電話と該携帯電話の上方に位置したロック解除操作部が一体形態であるので腰ベルトと携帯電話の距離は３ｃｍ程度短い形態を実現し、ズボンポケットの好適な位置に携帯電話を吊り状態で留置く（係留）ことができるという効果を奏する。
例えば：従来技術ではジーパンなどのポケットが上方にある場合には、ポケットの奥深く携帯電話が入ってしまい、取り出し難い、座ったときなどに携帯電話に無理な力がかかって故障を起しやすい、それを避けるために携帯電話をポケットから出して吊り状態で座った場合は吊り下げ状態が長いために（リール＋ループ細紐という少なくとも９ｃｍ程度の吊り、腰ベルトから携帯電話の下部までの距離は略２０ｃｍくらいである。）不具合を強く感じるなどの問題を持つものであった。
これに対して、本願発明ではポケットから半分は外に出しての携行を可能とし、取り出しやすい、半分出た状態で座ったときなどに無理な力が加わった場合はポケットから携帯電話が押し出されて外に吊り状態になりやすく、吊り状態となっても上げて腰ベルトから携帯電話の下部までの長さは１２ｃｍ程度と短く且つ振れる支点が腰ベルトやベルト通し部と掛けたリール紐のみであるので振れが大変小さく、不具合を感じさせない軽快さを感じさせる携行を実現するものである。
また、携帯電話とロック解除操作部が一体形態となっているので、片手で携帯電話をその指でロック解除操作部を操作したまま持ち耳元まで携帯電話を引き上げロックして止め通話や操作が行なえることを可能とするという効果を奏する。
｛２｝  腰ベルト（ベルト通し部を含む）やバックのベルトにループ形態のリール紐をまき掛けて携帯電話を外に単に吊り状態（ブラブラ状態）にした携行では、ベルトと携帯電話との距離が３ｃｍ程度と短く振れ支点がベルトと該ベルトにまわし掛けたリール紐のみとなって小さい振れを実現し、且つ、携帯電話とロック解除操作部が一体形態となっているので、片手で携帯電話をその指でロック解除操作部を操作したまま持ち耳元まで携帯電話を引き上げロックして止め通話や操作が行なえることを可能とするという効果を奏する。
（５）  本発明は、引用文献１、２の有する片手で上下に自在に移動できるという利点と、引用文献３の首根っこに近接する位置まで上げ係留して振れの小さい携行ができるという利点の両方を実現するとともに、引用文献１、２の首根っこに近接する位置まで携帯電話を上げ係留できないという欠点と、引用文献３の片手で上下操作ができない、吊り紐が携帯電話の下方に垂れるという欠点を解決するという効果を奏するものである。
（請求項２記載の発明の効果）
請求項１記載の発明の構成において、リール紐が適当な間隔をあけて設けられた左引出し口、右引出し口から引き出される左リール紐、右リール紐の一対のリール紐であることを特徴とする付勢巻取り式携帯補助具であるので、
請求項１記載の発明の効果に加えて、首に掛けるネックストラップ形態を実現するという効果を奏する。
（請求項３記載の発明の効果）
請求項１、２いずれか記載の発明の構成において、ロック解除操作部が押し出し付勢力に抗して指で押え込む押さえ込みボタンであるとともに、筐体と前記押さえ込みボタンを主に親指と人差し指で摘み押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする付勢巻取り式携帯補助具であるので、
請求項１、２いずれか記載の発明の効果に加えて、「ボタンの摘み押えと離し」という簡単な操作によりリールのロック解除およびロックができるので、片手のみの操作で上下移動操作および好みの位置への係留が素早く軽快に行なえるので操作性が大変良いという効果を奏する。
（請求項４記載の発明の効果）
請求項１〜３いずれか記載の発明の構成において、携帯電話などの携帯品の裏側に筐体のリールを有する部位を位置させ且つロック解除操作部を前記携帯品の外上方に位置するように取り付けるための取付部を前記筐体に設けてなることを特徴とする付勢巻取り式携帯補助具であるので、
請求項１〜３いずれか記載の発明の効果に加えて、ロック解除操作部部分以外の付勢巻取り式携帯補助具の殆どの部分を携帯電話の裏側に係止ないし固定が行なえるという効果を奏する。
（請求項５記載の発明の効果）
請求項１〜４いずれか記載の発明の構成において、筐体の裏側に面ファスナーまたはクリップを設けてなることを特徴とする付勢巻取り式携帯補助具であるので、
請求項１〜４いずれか記載の発明の効果に加えて、面ファスナーなら着衣の側に設けた面ファスナーに係着することにより、クリップならワイシャツの前立て部位を挟持して、下方に吊り位置させた携帯電話が全く振れない携行と、携帯電話の荷重を着衣に掛けることにより首に掛けた首掛け部位（ループ）による首への負荷を大幅に軽減ないし殆ど皆無にした携行を可能とするという効果を奏する。
（請求項６記載の発明の効果）
携帯電話や携帯音楽プレイヤーや携帯テレビ・ラジオ・携帯カメラ、ＩＣカード、携帯ケースなどの携帯品本体と、この携帯品本体に設けられた発条などの付勢力により付勢巻取り回転するリールと、このリールに付勢巻取状態で前記携帯品本体外に引き出される一対のリール紐と、この一対のリール紐で形成されるあるいは該一対のリール紐と他の部材によって形成される首掛けループ部と、前記携帯品本体を首から吊り下げた状態で見て該携帯品本体の上部あるいは上部に突出して設けられた前記リールの付勢巻取り回転をロックするロック機構部と、前記リールのロック状態を解除する前記ロック機構部の一部であるロック解除操作部とからなることを特徴とする携帯補助具付き携帯品であるので、
請求項１記載の発明と同様な効果を奏する。
（請求項７記載の発明の効果）
請求項６記載の発明の構成において、ロック解除操作部が押し出し付勢力に抗して指で押え込む押さえ込みボタンであるとともに、前記押さえ込みボタンを人差し指で押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする携帯補助具付き携帯品であるので、
請求項３記載の発明と同様な効果を奏する。
（請求項８記載の発明の効果）
筐体と、この筐体に設けられた発条などの付勢力により付勢巻取り回転するリールと、このリールに付勢巻取状態で前記筐体外に引き出される一対のリール紐を形成する第１のリール紐、第２のリール紐と、前記第１のリール紐の端に設けられた第１のリール紐側着脱パーツと、前記第２のリール紐の端に設けられた前記第１のリール紐側着脱パーツと連結できる第２のリール紐側着脱パーツと、首に掛ける平紐と、この平紐の一方の端に設けられた前記第１のリール紐側着脱パーツに連結できる第１の平紐側着脱パーツと、前記平紐の他方の端に設けられた前記第２のリール紐側着脱パーツに連結できる第２の平紐側着脱パーツとからなることを特徴とする付勢巻取り式携帯補助具であるので、
平紐を取り付けて首掛けループを形成して首に掛け下げての平紐による当りの弱い首に優しい携行を実現するとともに、平紐を外して、第１のリール紐と第２の右リール紐連結してループを形成して、ズボンの腰ベルトやバンド通し部、バックのベルトにループをまわし通し掛けて状態として携帯電話等を吊り携行することができるという、２つの携行形態を実現するとういう効果を奏する。
また、リール紐を全部リールに巻取り収納した状態においては、第１のリール紐と第２のリール紐を連結したループ状態とすることにより、着脱パーツが立たない見た目の良い形態を実現するという効果を奏する。
（請求項９記載の発明の効果）
請求項１〜６いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とする付勢巻取り式携帯補助具であるので、
請求項１〜６いずれか記載の発明の効果に加えて請求項８記載の効果を加えた効果を奏する。
（請求項１０記載の発明の効果）
請求項７、８いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とする携帯補助具付き携帯品であるので、
請求項７、８いずれか記載の発明の効果に加えて請求項８記載の効果を加えた効果を奏する。
【発明を実施するための最良の形態】
【０００９】
以下、図面に示す発明を実施するための最良の形態により、本発明を詳細に説明する。但し、本願発明をそれらににみに限定するものではない。また、実施の形態の説明にあたって同一構成部分には同じ符号を付与しその説明を省略する。
【００１０】
＜第１の実施の形態＞
図１〜図３に示す本発明を実施するための最良の第1の実施の形態において１は付勢巻取り式携帯補助具であって、この付勢巻取り式携帯補助具は１は長方形の筐体２と、この筐体２の内部に設けられた付勢巻取り機構部３と、この付勢巻取り機構部３から筐体２外に引き出された左リール紐４ａ、右リール紐４ｂの一対のリール紐で外側でループを形成するループ紐４と、付勢巻取り機構部３の上方に設けられた付勢巻取り機構部３の付勢回転を左リール紐４ａ、右リール紐４ｂを付勢挟持（噛み挟持）してロック状態とし且つ摘んだ指で押え押し込んでロック状態を解除する押し込みボタン形態のロック解除操作部５を筐体２の外に突出させたロック機構部６とからなっている。
【００１１】
付勢巻取り機構部３は、外周を歯車形態にした左リール紐８と、外周を歯車形態にした右リール紐９と、左リール紐８と右リール紐９の間に設けられた該８と該９の歯車に噛み合う歯車を外周に有する内部に巻取り付勢力であ発条１０を内設した付勢回転体１１とからなっている。
左リール紐８は筐体２に一体的に形成されたリール軸１２に回転フリーに軸支され、右リール紐９は筐体２に一体的に形成されたリール軸１３に回転フリーに軸支され、付勢回転体１１の発条１０の内側先端は筐体２に一体的に形成された発条固定軸１４に固定され、発条１０の外側先端は付勢回転体１１に固定され、付勢回転体１１は発条固定軸１４に回転可能に軸支されている。
【００１２】
ロック機構部６は、横長の頭部１７、該１７と同形状のロック部１８、頭部１７とロック部１８の間の左右に設けられた空間からなる左リール紐４ａ、右リール紐４ｂを通す紐通し部１９、中央に設けられた圧縮コイルバネ２０を入れるためのコイル入れ部２１とからなる横長の押しボタン形態であるロック解除操作部５と、筐体２内にセットしたロック解除操作部５の頭部１７の一部を筐体２外に露出させる筐体２の表面上方（右リール紐９の上方）に設けられた開口部２２と、筐体２の上部に離して設けられた紐通し部１９を通された左リール紐４ａを筐体２の外に引き出するための左引出し口２３、右リール紐４ｂを引き出するための右引出し口２４と、開口部２２の直ぐ下方に設けられた筐体２と一体成形により設けられた紐通し口形成体２５と、この紐通し口形成体２５の左右に設けられた紐通し部１９を通す左リール紐４ａを通す左リール紐通し口２６、右リール紐４ｂを通す右リール紐通し口２７とからなっている。
ロック解除操作部５はフリー状態では圧縮コイルバネ２０の押し出し付勢力により押し出し付勢状態にあって、この押し出し付勢状態では左リール紐４ａ、右リール紐４ｂはロック部１８と左引出し口２３、右引出し口２４、左リール紐通し口２６、右リール紐通し口２７に挟み付けられたロック状態となっていて、左リール紐８、右リール紐９および付勢回転体１１の回転もロック状態となっている。
親指を筐体２の裏側に当て人差し指をロック解除操作部５に当て摘み状態として、ロック解除操作部５を押し込むとロック部１８は後に移動してリール紐のロック状態が解除され、ロック解除操作部５を押し込み摘んだままの状態で上下に自在に移動させることができる。下げるときは発条１０の巻取り付勢力に抗して、上げるときは発条１０および付勢回転体１１による左リール紐８と右リール９の付勢回転による巻き込みによって、上下移動が素早く軽快に行なえる。
ロック解除操作部５の押し込みを止めると圧縮コイルバネ２０の付勢力によりロック部１８が前方に移動して左引出し口２３、右引出し口２４、左リール紐通し口２６、右リール紐通し口２７に挟み付けられたロック状態とし、好みの位置で止め係留状態とすることができる。
ロック部１８と左引出し口２３、右引出し口２４、左リール紐通し口２６、右リール紐通し口２７との間の隙間はリール紐の太さよりも狭くなっており、できる限る近接しているのが良い。
【００１３】
筐体２の左引出し口２３、右引出し口２４の直ぐ内側には紐受突起２８、２９が設けられ、ループ紐４が目いっぱい巻き込まれた状態で筐体２との間に指でループ紐４を摘み易くするための隙間が形成されるようになっている。
ループ紐４を目いっぱいに巻き取った状態において、筐体２の外で例えばハンドストラップとなるループを描くようにするのもよい。この場合、紐受突起２８、２９は必要がない。
筐体２の表部には携帯電話Ｋの裏側に設けたループ面ファスナー３０に係着させるフック面ファスナー３１が設けられ、筐体２の裏部にはループ面ファスナー３２が設けられている。
筐体２の下部には、携帯電話Ｋに取り付けた細吊り紐３３の丸環３４を取り付けるための紐掛け部３５が設けられ、付勢巻取り式携帯補助具１に取り付けた携帯電話Ｋが外れても紐掛け部３５によって地面への落下が阻止されるようになっている。
筐体２内部には左リール紐４ａ、右リール紐４ｂを案内する紐案内コロ３６ａ、３６ｂ、３６ｃが適宜設けられている。
付勢巻取り機構部３の筐体部位に対してロック機構部６の筐体部位は、ロック機構部６が前方に突出した厚みのある形態となっていて、その段差が顎部３７となって携帯電話Ｋを取り付ける際の当て部（位置決め部）としての役割をはたすようになっている。また、ロック機構部６を厚みのある前後に中空距離の長い形態としたことにより、ロック機構部６を形成しやすくするとともに、携帯電話Ｋの裏側にセットされる付勢巻取り機構部３側を薄い形態にできる。
左リール紐８、右リール紐９、付勢回転体１１の並べ順は付勢回転体１１が一番上でも一番下でも、左リール紐８、右リール紐９のいずれが上方に位置してもかまわず、また横並びとしても横長のカードケースやＩＣカードなどではよいなど多様な並び形態がある。
ループ面ファスナー３２に変えてクリップを設けるのも良い。クリップは向きを立て横に変えることができるものがよい。
【００１４】
付勢巻取り式携帯補助具１を携帯電話やカードケースなどに接着剤やネジで一体化してなる携帯補助具付き携帯品を形成するのもよい。
付勢巻取り式携帯補助具１の付勢巻取り機構部３およびロック機構部６を携帯電話などの携帯品に内設してなる携帯補助具付き携帯品を形成するのもよい。
筐体にカードケースを一体成形により設けてなる携帯補助具付き携帯品を形成するのもよい。
以下に述べる付勢巻取り式携帯補助具の実施の形態においては、上記のようにすることにより携帯補助具付き携帯品を形成する携帯補助具付き携帯品を形成することを実施の形態の１つとするものであり、以下においてはその説明を省略する。
【００１５】
＜第２の実施の形態＞
図４、図５に示す本発明を実施するための最良の第２の実施の形態において４０は付勢巻取り式携帯補助具であって、この付勢巻取り式携帯補助具４０は筐体４１と、この筐体４１の内部に設けられた付勢巻取り機構部４２と、この付勢巻取り機構部４２から筐体４１外に引き出された左リール紐４ａ、右リール紐４ｂと、付勢巻取り機構部４２の上方に設けられた付勢巻取り機構部４２の付勢回転をロック状態とし且つ摘んだ指で押え押し込んでロック状態を解除する押し込みボタン形態のロック解除操作部４３を筐体４１の外に開口部３９から露出させたロック機構部４４とからなっている。
【００１６】
付勢巻取り機構部４２は外周を歯車形態にした左リール紐４５と、該４５と歯車を噛み合わせた外周を歯車形態にした左リール紐４５と、右リール紐４６を付勢回転体にする該４６に内設された発条１０とからなっている。
左リール紐４５は筐体４１に一体的に形成されたリール軸１２に回転フリーに軸支され、右リール紐４６は筐体４１に一体的に形成された発条固定軸１４に回転可能に軸支され、発条１０の内側先端は発条固定軸１４に固定され、発条１０の外側先端は右リール紐４６に固定されている。
左リール紐４５を右リール紐４６と同じように発条１０を備えた構成として、２つのリールがそれぞれ付勢巻取り回転するようにするのもよい。
【００１７】
ロック機構部４４は、円形のロック解除操作部４３と、このロック解除操作部４３の左右に突出形成された回転阻止突起４７ａ、４７ｂと、ロック解除操作部４３の下部に突出設けられた右リール紐４６の歯車に噛み合わさるロック突起４８と、ロック解除操作部４３、回転阻止突起４７ａ、４７ｂが嵌る筐体４１に一体的形成されてなる操作部支持部４９と、ロック解除操作部４３の内側に入れられた該４３を押し出し付勢している圧縮コイルバネ２０とからなっている。
右リール紐４６の歯車５０は一対のフランジの前方フランジに形成されており、ロック突起４８は歯車５０のフランジの厚みより少し厚めであって、後方に移動できる空間を有している。
通常はロック解除操作部４３は圧縮コイルバネ２０により外側に押し出し付勢状態となっているので、ロック突起４８は最前方に位置されて歯車５０に噛み合い状態であるロック状態となっている。
指でロック解除操作部４３を押し込むとロック突起４８は後方に移動して歯車５０外に位置しロック解除状態となる。ロック解除操作部４３を押し込んだまま、片手のみで上下移動を素早く簡単・軽快に行なうことができる。ロック解除操作部４３の押し込みを止めるとロック状態となりその場所で係留状態となる。
【００１８】
筐体４１の左右には筐体４１の表面を同じにしてなるフランジ５１ａ、５１ｂが設けられている。
携帯電話Ｋの裏側には、フランジ５１ａ、５１ｂを下方から嵌め込む携行補助具取付部５２ａ、５２ｂが設けられている。
筐体４１の外に出されている左リール紐４ａ（第１のリール紐）の先端には２ｋｇ以上の引張りがあると外れる着脱パーツ５３の雄パーツ５５（第１のリール紐側着脱パーツ）が取り付けられ、右リール紐４ｂ（第２のリール紐）の先端には着脱パーツ５３の雌パーツ５６（第２のリール紐側着脱パーツ）が取り付けられていて、一方の端に着脱パーツ５３の雌パーツ５６（第１の平紐側着脱パーツ）を取り付け他方の端に着脱パーツ５３の雄パーツ５５（第２の平紐側着脱パーツ）を取り付けてなる１０ｍｍ〜１５ｍｍ幅の平紐５４が連結され、首掛けループ５７を形成している。
平紐５４を取り付けて首掛けループ５７を形成して首に掛け下げての平紐による当りの弱い首に優しい携行を実現するとともに、平紐５４を外して、左リール紐４ａの雄パーツ５５と右リール紐４ｂの雌パーツ５６を連結してループを形成して、ズボンの腰ベルトやバンド通し部、バックのベルトにループをまわし通し掛けて状態として携帯電話等を吊り携行するときに、吊りの短く振れの小さい携行を実現し吊り紐が邪魔にならない携行という、２つの携行形態を実現するとういう効果を奏する。
また、リール紐を全部リールに巻取り収納した状態においては、左リール紐と右リール紐を連結したループ状態とすることにより、着脱パーツ５３が立たない見た目の良い形態を実現するという効果を奏する。
平紐５４はソフトゴム平紐とするのがクッション性の優しく負荷の感じ方が優しいものとできるのでよい。
着脱パーツはリングと丸環（開口が開閉する）などの他のパーツによるものも技術的範疇に含まれるものである。
左リール紐４５と右リール紐４６は横並びとする形態もよい。
筐体４１を携帯電話のバッテリカバーとするのもよい。この場合は携帯補助具付き携帯品を形成する。
【００１９】
＜第３の実施の形態＞
図６〜図８に示す本発明を実施するための最良の第３の実施の形態において６０は付勢巻取り式携帯補助具であって、付勢巻取り式携帯補助具６０は筐体６１と、この筐体６１の内部に設けられた付勢巻取り機構部６２と、この付勢巻取り機構部６２から筐体６１外に引き出された左リール紐６３ａ、右リール紐６３ｂの一対の平紐で首掛けループを形成するループ紐６４と、付勢巻取り機構部６２の上方に設けられた付勢巻取り機構部６２の付勢回転をロック状態とし且つ摘んだ指で押え押し込んでロック状態を解除する押し込みボタン形態のロック解除操作部６５を筐体６１の外に開口部６６から露出させたロック機構部６７と、筐体６１の付勢巻取り機構部６２を収納している巻取り機構筐体部６８と、筐体６１のロック機構部６７を収納してなる巻取り機構筐体部６８よりも前方に突出してなるロック機構筐体部６９と、巻取り機構筐体部６８とロック機構筐体部６９に境に形成された顎部７０と、この顎部７０から突出された携帯電話Ｋの首から吊り下げた状態で見て携帯電話本体Ｂの頂部に設けられたフック掛け穴７１に嵌合掛けるフック部７２、７２を有するフック機構部７３と、筐体６１の下部に立ち下げられた差込片７４とからなっている。
【００２０】
付勢巻取り機構部６２は、筐体６１と一体成形により設けられた発条固定軸７５に回転自在に取り付けられた一対にフランジを有するリール７６と、このリール７６に内設され内端を発条固定軸７５に固定し外端をリール７６に固定して、リール７６を付勢巻取り回転状態にする発条７７と、ループ紐６４を案内する案内コロ７８ａ、７８ｂ、７８ｃ、７８ｄとからなっている。
【００２１】
ロック機構部６７は、円形ボタン形態のロック解除操作部６５と、この円形ボタン形態のロック解除操作部６５の下部の左右に突出するように設けられた板状のロック部７９ａ、７９ｂと、ロック解除操作部６５の下方に該６５に隣接して筐体６１に固定設けられた紐通し口形成体２５と、ロック解除操作部６５に入れられ該６５を押し出し付勢状態としている圧縮コイルバネ２０とからなっている。
通常の状態では圧縮コイルバネ２０の押し出し付勢されているロック部７９ａ、７９ｂはその前部を通っているループ紐６４を押して左リール紐通し口２６、右リール紐通し口２７および左引出し口２３、右引出し口２４とであるいはいずれか一方を口とロック部とがずれることによる一種の噛み状態（挟み状態）にしてロックし、よって付勢巻取り回転を使用とするリール７６の回転がロックされ、その場所で係留状態にされる。
指で筐体６１ごと親指と人差し指でロック解除操作部６５を摘み該６５を人差し指で押し込むことにより、ロック部７９ａ、７９ｂが後方に移動してループ紐６４を該７９ａ、７９ｂが押える状態が解除される。ロック解除操作部６５を押し込んだままで、上方に移動させるとリール７６の付勢巻取り回転によりループ紐６４は自動的に巻き取られ、下方に移動させるとリール７６は巻取り付勢力に抗して送出し回転をして発条７７が巻かれる。
【００２２】
フック機構部７３は、ロック機構筐体部６９の下方内の左右に設けられた操作駒８０、８１と、操作駒８０、８１の外側部に設けられたロック機構筐体部６９の側部から外に突き出した押し込み部８２と、操作駒８０、８１の内側部に設けられた８０、８１と一体成形により形成されたスプリング８３と、操作駒８０、８１の下部に設けられた顎部７０から外に突き出したフック７２ａ、７２ｂと、スプリング８３、８３を受ける筐体６１と一体成形で設けられたスプリング受部８４とからなっている。
押し込み部８２、８２を押し込むとスプリング８３、８３に抗してフック部７２、７２は内側に移動し（携帯電話Ｋのフック掛け穴７１に出し入れできる状態）、押し込み部８２、８２の押し込みを止めるとスプリング８３、８３の押し出し付勢力によりフック部７２、７２は外側に移動しその状態（携帯電話Ｋのフック掛け穴７１のフックが掛った状態）が保持される。
携帯電話Ｋに取り付ける際には、先ず差込片７４を携帯電話Ｋの裏側に設けた片差込部８５に差し込んでからフック部７２、７２をフック掛け穴７１に嵌める。
【００２３】
＜第４の実施の形態＞
図９に示す本発明を実施するための第４の実施の形態において前記第２の実施の形態と主に異なる点は、付勢巻取り機構を右リール紐４６と同じものであるリール８６の１つとし、リール８６に筐体８７の外でループを形成する左リール紐８８ａと右リール紐８８ｂを重ね形態で巻き取った付勢巻取り式携帯補助具８９を形成した点にある。
ロック機構部９０、付勢巻取り機構部９１。
【００２４】
＜第５の実施の形態＞
図１０、図１１に示す本発明を実施するための第５の実施の形態において９２は付勢巻取り式携帯補助具であって、この付勢巻取り式携帯補助具９２は筐体９３と、この筐体９３に内設されたリール９４と、このリール９４の内側に設けられた該９４を付勢巻取り回転させる内端を筐体９３に一体的に形成された発条固定軸１４に固定し外端をリール９４に固定してなる発条１０と、リール９４に重ね巻き取りされ筐体９３の外に引き出されてループを形成している左リール紐９５ａ、右リール紐９５ｂと、この左リール紐９５ａ、右リール紐９５ｂを抑え付けて移動を止めリール９４の回転をロック・ロック解除するロック機構部９６と、筐体９３の裏側に設けられた薄平板形態のクリップ９７とからなっている。
【００２５】
ロック機構部９６は、筐体９３の上方にあけられた開口部９８から一部を外に出してなる押し込みボタン形態のロック解除操作部９９と、このロック解除操作部９９の下方の左右に突出設けられた腕支持肩部１００、１００と、この腕支持肩部１００、１００に軸支され回動自在に設けられたへの字形状の腕部１０１、１０１と、ロック解除操作部９９内に収納された該９９を押し出し付勢状態にする圧縮コイルバネ１０２とからなり、通常状態では圧縮コイルバネ１０２の押し出し付勢力によりロック解除操作部９９および軸受け肩部１００、１００も前方に位置し、これに伴って腕支持肩部１００、１００とリンク機構を形成する腕部１０１、１０１の先端は外側に付勢位置して左リール紐９５ａ、右リール紐９５ｂを筐体９３の内壁に形成された凹部１０３、１０３に押し込み壁に押し当て挟持状態にして左リール紐９５ａ、右リール紐９５ｂの移動をロックし、それによりリール９４はロックされる。
摘んだ指でロック解除操作部９９を押し込むと腕部１０１、１０１の先端は内側に動いて左リール紐９５ａ、右リール紐９５ｂから離れそのロックを解除する。ロック解除操作部９９を摘み押し込んだまま上下に自在に移動させることができ、指を離すと圧縮コイルバネ１０２の付勢力により自動的にロック状態となる。
【００２６】
ロック解除操作部９９の下側には携帯電話Ｋを当てその取り付け位置を決めるための位置決め部１０４が設けられ、筐体９３の上部には該９３の頭部の中央を凹み形成してなる最大限に巻き込まれ張った左リール紐９５ａ、右リール紐９５ｂを指や爪で摘み易くするための凹部１０５が設けられている。
【００２７】
＜第６の実施の形態＞
図１２、図１３に示す本発明を実施するための最良の第６の実施の形態において１０８は付勢巻取り式携帯補助具であって、この付勢巻取り式携帯補助具１０８は筐体１０９と、この筐体１０９の内部に設けられたリール９４と、このリール９４の内側に内設された該９４を付勢巻取り回転させる内端を筐体１０９に固定された発条固定軸１４に固定し外端をリール９４に固定してなる発条１０と、リール９４に巻き取られて筐体１０９の頂部中央の引き出し口１０７から該１０９の外に引き出されてなるリール紐１１０と、リール９４の上方に設けられたリール紐１１０を通し該１１０の移動とロックを行なうロック機構部１１１とからなっている。
リール紐１１０の先端にはクリップ１０６が設けられている。
【００２８】
ロック機構部１１１は、円形中空形態のその頭部を筐体１０９の表に空けられた開口部１１２から出すように設けられた押し込みボタン携帯のロック解除操作部１１３と、このロック解除操作部１１３の左右に設けられたスプリング受部１１４、１１４と、ロック解除操作部１１３に貫通されたリール紐１１０を通す紐通し部１１５と、スプリング受部１１４、１１４に支持されたロック解除操作部１１３を押し出し付勢状態にするスプリング１１６、１１６とからなっている。
通常、ロック解除操作部１１３はスプリング１１６、１１６に前方に向けて押し出し付勢状態にあるので、紐通し部１１５に通されているリール紐１１０は前方の持っていかれて、引き出し口１０７と紐通し部１１５はズレ状態となり、引き出し口１０７と紐通し部１１５で噛まれ挟まれた状態にされて移動できないロック状態にある。この状態ではリール９４もリール紐１１０の付勢引き状態でその回転がロックされた状態にある。
指で摘んでロック解除操作部１１３を指で押し込み操作すると、引き出し口１０７と紐通し部１１５は重なり状態となってそのロック状態は解除され、通されているリール紐１１０は移動が自在に行なえるようになる。ロック解除操作部１１３を指で押し込んだまま上下移動を自在に行なうことができ、指を離すとスプリング１１６、１１６の押し出し付勢力により自動的にロック状態となって、好みの位置に係留することが自在に行なえる。
【００２９】
図１３において、筐体１０９にカードケース１１７を接着して取り付けられ携帯補助具付き携帯品１１８を形成している。
カードケース１１７を筐体１０９のカバー側として形成することによりコスト低減を図ることができる。
【００３０】
＜第７の実施の形態＞
図１４に示す本発明を実施するための最良の第７の実施の形態において前記第６の実施の形態と主に異なる点は、リール９４に左リール紐１２０ａと右リール紐１２０ｂを重ね巻きし筐体１０９外に引き出された部位でループ１２１を形成し、ロック機構部をロック機構部１２２としてなる付勢巻取り式携帯補助具１２３を形成した点にある。
ロック機構部１２２は、筐体９４の開口部１１２から一部を出すように設けられた円形の押しボタン形態のロック解除操作部１２４と、このロック解除操作部１２４の指当て部１２７から後方に延びた中空の支柱部１２５と、この支柱部１２５の後部に設けられたロックフランジ部１２６と、ロック解除操作部１２４の指当て部１２７とロックフランジ部１２６の間に横凹形態に形成された紐通し部１２８、１２８と、支柱部１２５の中空部に一部を入れロック解除操作部１２４を押し出し付勢状態とする圧縮コイルバネ１２９と、筐体１０９に一体成形により設けらてなるロック解除操作部１２４を可動可能に収納する操作片収納部１３０と、この操作片収納部１３０に設けられた左リール紐１２０ａと右リール紐１２０ｂを通す紐通し部１３１、１３１、１３１、１３１とからなっている。
通常、ロック解除操作部１２４は圧縮コイルバネ１２９に前方に向けて押し出し付勢状態にあるので、紐通し部１２８、１２８に通されている左リール紐１２０ａと右リール紐１２０ｂは前方の持っていかれて、紐通し部１３１、１３１、１３１、１３１と紐通し部１２８、１２８はズレ状態となり、ロックフランジ部１２６と紐通し部１３１、１３１、１３１、１３１で噛まれ挟まれた状態にされて移動できないロック状態にある。この状態ではリール９４も左リール紐１２０ａと右リール紐１２０ｂの付勢引き状態のままその回転がロックされた状態にある。
指で摘んでロック解除操作部１２４を指で押し込み操作すると、紐通し部１３１、１３１、１３１、１３１と紐通し部１２８、１２８は重なり状態となってそのロック状態は解除され、通されているリール紐１１０は移動が自在に行なえるようになる。ロック解除操作部１２４を指で押し込んだまま上下移動を自在に行なうことができ、指を離すと圧縮コイルバネ１２９の押し出し付勢力により自動的にロック状態となって、好みの位置に係留することが自在に行なえる。
【００３１】
＜第８の実施の形態＞
図１５に示す本発明を実施するための最良の第８の実施の形態において前記第７の実施の形態と主に異なる点は、筐体１０９の蓋になる部位をカードケース１３４としてなる携帯補助具付き携帯品１３５を形成してなる点にある。
コストを低減をはかれるとともに、接着して取り付ける形態よりも薄くできる。
【００３２】
＜第９の実施の形態＞
図１６に示す本発明を実施するための最良の第9の実施の形態において１３８は携帯補助具付き携帯品であって、この携帯補助具付き携帯品１３８は折畳式携帯電話であって、携帯電話本体Bの後部側に前記第4の実施の形態の付勢巻取り式携帯補助具８９のロック機構部９０と付勢巻取り機構部９１を内設したものであるとともに、携帯電話本体Bの上部をディスプレー部Dから上部にはみ出した携帯電話本体B本体よりも薄形態のはみ出し部１３９に形成し、このはみ出し部１３９にロック機構部９０およびそのロック解除操作部４３を設けた構成としたものである。
左リール紐８８ａと右リール紐８８ｂとで首に掛けるループ１４２を形成している。
ディスプレー部Dの表面には太陽電池パネル１４４が設けられ、光のあるところでは自動的にバッテリー１４０に充電がなされるようになっていて、ディスプレー部Dは略直角に開いたところで確りとした停止状態（それ以上開くことが容易にできる）になるようにヒンジー部１４１が構成されている。
ロック解除操作部４３を伸縮柔軟性シート部材などのカバーを設けて、内部に埃等が入らないようにするのがよい。
【００３３】
＜第１０の実施の形態＞
図１７に示す本発明を実施するための最良の第１０の実施の形態において前記第９の実施の形態と主に異なる点は、携帯電話本体Bの上部をディスプレー部Dから上部にはみ出した携帯電話本体B本体おなじ厚さのはみ出し部１４３に形成した携帯補助具付き携帯品１４４を形成した点にある。
【００３４】
＜第１１の実施の形態＞
図１８に示す本発明を実施するための最良の第１１の実施の形態において１４５は携帯補助具付き携帯品であって、この携帯補助具付き携帯品１４５はICカードなどのカードを収納するカード収納部１４６を有するカード本体１４７と、このカード本体１４７の上部に突出して設けられたはみ出し部１４８と、このはみ出し部１４８に設けられた前部にロック解除操作部１２４を位置させてなるロック機構部１２２と、カード本体１４７の裏に設けられた左右一対の左リール体１４９、右リール体１５０とからなる付勢巻取り機構部１５１と、左リール体１４９、右リール体１５０に付勢巻き取られ外に引き出され、ロック機構部１２２を通され、首に掛けるループ１５２を形成する左リール紐１５３ａ、右リール紐１５３ｂとからなっている。
左リール体１４９、右リール体１５０は筐体１５４と、この筐体１５４に収納された左リール紐１５３ａ、右リール紐１５３ｂを付勢巻取りするリール９４と、リール９４の内側に設けられた該９４を付勢巻取り回転させる内端を筐体１５４に一体的に形成された発条固定軸１４に固定し外端をリール９４に固定してなる発条１０とからなっている。
左リール体１４９、右リール体１５０はカード本体１４７に接着などにより固定されている。カード本体１４７を筐体１５４の蓋とする構成もよい。この場合カード本体１４７は筐体１５４とともにその筐体の構成部といえ、発条固定軸などの軸を設けることが可能である。
ロック機構部１２２の詳細は図１４を参照。
【００３５】
＜第１２の実施の形態＞
図１９に示す本発明を実施するための最良の第１２の実施の形態において前記第１１実施の形態と主に異なる点は、ロック機構部１２２をはみ出し部の１４８の前部に設け、ロック機構部１２２の下方ではみ出し部１４８に左リール紐１５３ａ、右リール紐１５３ｂを通し裏側にまわするための紐通し孔１５８を設けてなる携帯補助具付き携帯品１５９を形成した点にある。
【００３６】
＜第１３の実施の形態＞
図２０に示す本発明を実施するための最良の第１３の実施の形態において前記第１１実施の形態と主に異なる点は、ロック機構部を左リール４５、右巻取リール４６を横並びにした付勢巻取り機構部４２とし、ケース本体１６２を付勢巻取り機構部４２とロック機構部１２２を収納する筐体とした携帯補助具付き携帯品１６３を形成した点にある。
裏側にはワイシャツの胸ポケットなどに係止するための弱い付勢力のクリップ１６４が設けられている。
左リール４５も右リール４６と同じように発条１０を有する構成として、２つのリールがするのもよい。
ロック機構部１２２の詳細は図１４を参照。
【００３７】
【産業上の利用可能性】
【００３８】
本発明は携帯電話などの携帯補助具を製造する産業で利用される。
【図面の簡単な説明】
【００３９】
【図１】本発明を実施するための最良の第１の実施の形態の正面図、側面図、平面図、背面図。
【図２】本発明を実施するための最良の第１の実施の形態の携帯電話を取り付けた状態の正面図、側面図、背面図。
【図３】本発明を実施するための最良の１実施の形態の巻取りロック機構を示す正面図および巻取りロック機構を示す側面図。
【図４】本発明を実施するための最良の第２の実施の形態の巻取りロック機構を示す正面図および巻取りロック機構を示すリール紐を省略した側面図。
【図５】本発明を実施するための最良の第２の実施の形態の正面図、背面図、携帯電話の背面図および携帯電話を取り付けた状態の背面図。
【図６】本発明を実施するための最良の第３の実施の形態の正面図、側面図および背面図。
【図７】本発明を実施するための最良の第３の実施の形態の内部構造を示す正面図およびその側面図。
【図８】本発明を実施するための最良の第３の実施の形態の携帯電話を取り付けた状態の正面図、その側面図およびその背面図。
【図９】本発明を実施するための最良の第４の実施の形態の内部構造を示す正面図、中央縦断面図および動作を示す内部構造側面図。
【図１０】本発明を実施するための最良の第５の実施の形態の正面図、携帯電話を取り付けた状態の側面図および携帯電話を取り付けた状態の正面図。
【図１１】本発明を実施するための最良の第５の実施の形態の内部構造と動作を示す平面図と正面図。
【図１２】本発明を実施するための最良の第６の実施の形態の正面図、側面図、内部構造を示す正面図およびロック機構部の動作説明図。
【図１３】本発明を実施するための最良の第６の実施の形態のカードケースを接着取り付けた状態の正面図、背面図、側面図。
【図１４】本発明を実施するための最良の第７の実施の形態の内部構造を正面図およびロック機構部の動作図。
【図１５】本発明を実施するための最良の第８の実施の形態の正面図、背面図および側面図。
【図１６】本発明を実施するための最良の第９の実施の形態のディスプレー部を少し開いた状態の側面図およびディスプレー部を閉じた状態の正面図。
【図１７】本発明を実施するための最良の第１０の実施の形態のディスプレー部を90度開いた状態の側面図およびディスプレー部を閉じた状態の正面図。
【図１８】本発明を実施するための最良の第１１の実施の形態の正面図、側面図および背面図。
【図１９】本発明を実施するための最良の第１２の実施の形態の正面図、側面図および背面図。
【図２０】本発明を実施するための最良の第１３の実施の形態の正面図、側面図および内部構造を示す正面図。
【符号の説明】
【００４０】
Ｋ：携帯電話、
Ｂ：携帯電話本体、
Ｄ：ディスプレー部、
１：付勢巻取り式携帯補助具、
２：筐体、
３：付勢巻取り機構部、
４：ループ紐、
４ａ：左リール紐、
４ｂ：右リール紐、
５：ロック解除操作部、
６：ロック機構部、
８：左リール紐、
９：右リール紐、
１０：発条、
１１：付勢回転体、
１２：リール軸、
１３：リール軸、
１４：発条固定軸、
１７：頭部、
１８：ロック部、
１９：紐通し部、
２０：圧縮コイルバネ、
２１：コイル入れ部、
２２：開口部、
２３：左引出し口、
２４：右引出し口、
２５：紐通し口形成体、
２６：左リール紐通し口、
２７：右リール紐通し口、
２８：紐受突起、
２９：紐受突起、
３０：ループ面ファスナー、
３１：フック面ファスナー、
３２：ループ面ファスナー、
３３：細吊り紐、
３４：丸環、
３５：紐掛け部、
３６、３６ａ、３６ｂ、３６ｃ、３６ｄ：紐案内コロ、
３７：顎部、
３９：開口部、
４０：付勢巻取り式携帯補助具、
４１：筐体、
４２：付勢巻取り機構部、
４３：ロック解除操作部、
４４：ロック機構部、
４５：左リール紐、
４６：右リール紐、
４７ａ、４７ｂ：回転阻止突起
４８：ロック突起、
４９：操作部支持部、
５０：歯車、
５１ａ、５１ｂ：フランジ、
５２ａ、５２ｂ：携行補助具取付部、
５３：着脱パーツ、
５５：雄パーツ、
５６：雌パーツ、
５７：平紐、
６０：付勢巻取り式携帯補助具、
６１：筐体、
６２：付勢巻取り機構部、
６３ａ：左リール紐、
６３ｂ：右リール紐、
６４：ループ紐、
６５：ロック解除操作部、
６６：開口部、
６７：ロック機構部、
６８：巻取り機構筐体部、
６９：ロック機構筐体部、
７０：顎部、
７１：フック掛け穴、
７２：フック部、
７３：フック機構部、
７４：差込片、
７５：発条固定軸、
７６：リール、
７７：発条、
７８ａ、７８ｂ、７８ｃ、７８ｄ：案内コロ、
７９ａ、７９ｂ：ロック部、
８０：操作駒、
８１：操作駒、
８２：押し込み部、
８３：スプリング、
８４：スプリング受部、
８５：片差込部、
８６：リール、
８７：筐体、
８８ａ：左リール紐、
８８ｂ：右リール紐、
８９：付勢巻取り式携帯補助具、
９０：ロック機構部、
９１：付勢巻取り機構部、
９２：付勢巻取り式携帯補助具、
９３：筐体、
９４：リール、
９５ａ：左リール紐、
９５ｂ：右リール紐、
９６：ロック機構部、
９７：クリップ、
９８：開口部、
９９：ロック解除操作部、
１００：腕支持肩部、
１０１：腕部、
１０２：圧縮コイルバネ、
１０３：凹部、
１０４：位置決め部、
１０５：凹部、
１０７：引き出し口、
１０８：付勢巻取り式携帯補助具、
１０９：筐体、
１１０：リール紐、
１１１：ロック機構部、
１１２：開口部、
１１３：ロック解除操作部、
１１４：スプリング受部、
１１５：紐通し部、
１１６：スプリング、
１２０ａ：左リール紐、
１２０ｂ：右リール紐、
１２１：ループ、
１２２：ロック機構部、
１２３：付勢巻取り式携帯補助具、
１２４：ロック解除操作部、
１２５：支柱部、
１２６：ロックフランジ部、
１２７：指当て部、
１２８：紐通し部、
１２９：圧縮コイルバネ、
１３０：操作片収納部、
１３１：紐通し部、
１３４：カードケース、
１３５：携帯補助具付き携帯品、
１３８：携帯補助具付き携帯品、
１３９：はみ出し部、
１４０：バッテリー、
１４１：ヒンジー部、
１４５：携帯補助具付き携帯品、
１４６：カード収納部、
１４７：カード本体、
１４８：はみ出し部、
１４９：左リール体、
１５０：右リール体、
１５１：付勢巻取り機構部、
１５２：ループ、
１５３ａ：左リール紐、
１５３ｂ：右リール紐、
１５４：筐体、
１５５：カード挿入口、
１５８：紐通し孔、
１５９：携帯補助具付き携帯品、
１６２：ケース本体、
１６３：携帯補助具付き携帯品、
１６４：クリップ。
【図１】
2008183071.tif 000003
【図２】
2008183071.tif 000004
【図３】
2008183071.tif 000005
【図４】
2008183071.tif 000006
【図５】
2008183071.tif 000007
【図６】
2008183071.tif 000008
【図７】
2008183071.tif 000009
【図８】
2008183071.tif 000010
【図９】
2008183071.tif 000011
【図１０】
2008183071.tif 000012
【図１１】
2008183071.tif 000013
【図１２】
2008183071.tif 000014
【図１３】
2008183071.tif 000015
【図１４】
2008183071.tif 000016
【図１５】
2008183071.tif 000017
【図１６】
2008183071.tif 000018
【図１７】
2008183071.tif 000019
【図１８】
2008183071.tif 000020
【図１９】
2008183071.tif 000021
【図２０】
2008183071.tif 000022
【手続補正書】
【提出日】平成19年12月25日(2007.12.25)
【手続補正１】
【補正対象書類名】特許請求の範囲
【補正対象項目名】全文
【補正方法】変更
【補正の内容】
【特許請求の範囲】
【請求項１】
筐体と、
この筐体に設けられた発条などの付勢力により付勢巻取り回転するリールと、
このリールに付勢巻取状態で前記筐体外に引き出されるリール紐と、
前記リールよりも上方に設けられた前記リールの付勢巻取り回転をロックするロック機構部と、
親指を前記筐体の裏側に当て該筐体の表側から人差し指を当てての摘み押し込み操作により可動されて、前記リールのロック状態を解除する前記ロック機構部の一部であるロック解除操作部と、
前記リールよりも上方である前記筐体の上方に設けられた前記ロック解除操作部を指で押し込むことができるようにするための開口部と、
からなることを特徴とする付勢巻取り式携帯補助具。
【請求項２】
リールの付勢巻取り回転のロックとロック解除が、リール紐の挟みロックと該挟みロックの解除によりなされるものであることを特徴とする請求項１記載の付勢巻き取り式携帯補助具。
【請求項３】
リールの付勢巻取り回転のロックとロック解除が、該ロックが該リールにロック解除操作部が当ることによりなされ、該ロックの解除が該ロック解除操作部が該リールから離れることによりなされるようにしてなることを特徴とする請求項１記載の付勢巻取り式携帯補助具。
【手続補正２】
【補正対象書類名】明細書
【補正対象項目名】全文
【補正方法】変更
【補正の内容】
【発明の詳細な説明】
【技術分野】
【０００１】
本発明は、携帯電話、カメラ、音楽プレーヤー、携帯ラジオ・テレビ、携帯ＧＰＳ、ＩＣカード、カードケースなどの携帯品を首から吊るし携行したり腰やバックに吊るし携行するのに適した付勢巻取り式携帯補助具に関する。
【背景技術】
【０００２】
従来の付勢巻取り式携帯補助具を有するネックストラップ装置には以下に述べるものがある。
（１）  特許文献１（実用新案登録第３０７０７８９号公報）に、筐体と、この筐体に固定され内側に突出した固定軸と、この固定軸に内端を固定してなる発条と、この発条の外端を固定してその戻り付勢力により付勢巻取り回転するリール（巻取りドラム）と、このリールに両端を固定して２重巻き形態で該リールに巻取られる細帯状の首掛けループを形成してなるリール紐（帯紐）と、筐体とリールの中央に設けられた、押すとロックが解除されて付勢巻取り状態となり離すとロックされてリールの回転が止められるようにしてなるロックボタン機構と、筐体の下部から下げられた携帯電話などを吊り下げるためのループ細紐（松葉）と、とからなる付勢巻取り式携帯補助具の発明が開示されている。
（２）  特許文献２（特開平９−２９９１２８号公報）に、発条によりループリール紐を巻取り付勢状態とされた2つのリール（巻取りドラム）をロック・ロック解除するための機構として、筐体とリールの中央に指で抑えスライドさせるロック方向にバネ１０で常に押されているストッパー９が設けられた付勢巻取り式携帯補助具の発明が開示されている。
（３）  特許文献３（特開２００６−５５６２７号公報）の図５１に、首掛けループを形成してなる一対の吊り紐（ロープ）を通し、その一対の吊り紐を付勢挟持してロックするロック機構を有し且つ指で摘みロック解除の内駒を押し込んでロックを解除し上下に移動自在とした移動係留体と、この移動係留体に四角形枠形態の掛け手段を下げ、その掛け手段に携帯電話を吊り下げ、移動係留体から下方にでた一対の吊り紐を掛け手段の中を通して携帯電話の裏に出すようにしてなる携帯品等の下げ具の発明が開示されている。
【０００３】
【特許文献１】実用新案登録第３０７０７８９号公報
【特許文献２】特開平９−２９９１２８号公報
【特許文献３】特開２００６−５５６２７号公報
【非特許文献１】特になし
【発明の開示】
【発明が解決しようとする課題】
【０００４】
上述した従来技術は、筐体とリールの中央にロック解除操作部が設けられ、筐体の下部に細紐からなる携帯電話やカメラなどの携帯品を取り付けるループ細紐を有する形態であるので、付勢巻取り手段全体が携帯品の上方に位置するものであため次に述べるような欠点を有するものであった。
（１）  特許文献１、２の発明は、片手で自在に上げ下げができるのであるが、ネックストラップ形態での使用では、付勢巻取り式携帯補助具が非常に目立ってしまう、携帯品の最大上げ位置が付勢巻取り式携帯補助具本体とループ細紐の分だけ下方になってしまう、すなわち首根っこからかなり下方（どんなに上げてもみぞおち当り）にしか上げられない、そのため携帯品の振れが大きくなってしまうという欠点を有するものであった。
（２）  特許文献１、２の発明は、筐体を大きくしてリールのリール紐の巻取り量を多くすることによって、リール紐の引き出し量を例えば携帯電話を持った腕を延ばしきって携帯電話をかざすことができるようにすることが考えられるが、リール及び筐体が大きくなりすぎて異様に目立ってしまうという欠点を有するものであった。
（３）  特許文献１、２の発明は、ズボンの腰ベルトやベルト通しやバックのベルトにリールから引き出されたリール紐を潜らせ取り付け携行する場合には次のような欠点を有するものであった。
｛１｝  取り付けた携帯電話をズボンのポケットに入れて携行する場合には携帯電話とリールはループ細紐によって繋がれた携帯電話がリールとは離れたブラブラ状態にあるので、片手で携帯電話とリールを同時に一体的に掴むことができず、したがって携帯電話を操作する際には左手で携帯電話を持ち右手でリールを摘みロック解除操作部を押して携帯電話を引き上げ（リール紐を引き出す）るという、両手を使わなければならない（片手では操作できない）という欠点を有するものであった。
｛２｝  携帯電話とリールはループ細紐によって繋がれた少なくとも４ｃｍ以上は離れた形態であり、それにリールの長さが加わって９ｃｍ程度は携帯電話がベルトから離れた形態であるので、その分だけ携帯電話のポケットへの収納位置を好適なものにできない（特にジーパンなどのポケットが上方にあるもの）という欠点を有するものである
｛３｝  携帯電話を腰に単なる吊り状態で携行した場合、ベルトなどの吊り部分からリール＋ループ細紐という少なくとも９ｃｍ程度の吊り部分で携帯電話などの携帯品を吊り下げる状態となるので、携帯電話が歩行動作ごとなどに大きく振れてしまって携行性がとても悪い、常に携帯電話をループ細紐で吊り下げ振れ擦れ状態にあるので、ループ細紐が早期に擦れ傷んでしまうという欠点を有するものであった。
手提げないし肩掛けバックのベルトに下げ携行する場合も、上記と同じように９ｃｍ程度の吊り部分で携帯電話などの携帯品が大きく振れて不具合であるという欠点を有するものであった。
（４）  特許文献３の発明は、首根っこに近接する位置まで携帯電話を上げ係留して振れの小さな携行を実現するものであるが、上に上げるには吊り紐の下方を一方の手で摘み、他方の手で移動係留体を摘み内駒を押し込んでロックを解除して操作しなければならず、片手で上下移動操作を行なえないという欠点を有するものであった。
また、吊り紐が携帯電話の下方に垂れてしまうという欠点を有するものであった。
また、ズボンの腰や腰ベルト、バックのベルトにループ紐を巻き通し掛けた状態で吊っての使用では、両手で上げ下げ操作を行なわなくてはならない、スムーズな操作ができない、吊り紐が長く垂れてしまうという欠点を有するものであった。
【０００５】
本発明は以上のような従来技術の欠点に鑑みてなされたものであって、
（１）  付勢巻取り式携帯補助具を目立たなくするとともに、吊り下げた携帯品を首根っこに近接する高いところまで上げ係留でき且つ携帯品の上下移動が自在に行なえ好みの位置に係留することができる付勢巻取り式携帯補助具を提供することを目的としている。
（２）  本発明の他の目的は、携帯電話を腰ベルトなどの腰部分に吊り該携帯電話をズボンのポケットに入れて携行する場合には、携帯電話の吊り位置をポケットの好適な位置に調節して止め携行でき且つ片手で携帯電話を持ち耳元まで引き上げ止め通話や操作が行なえることを可能とし、腰ベルトやバックのベルトなどに単に吊りフリー状態で携行する場合は、吊っているベルトと携帯電話との距離が３ｃｍ程度と短く振れ支点がベルトと該ベルトにまわし掛けたリール紐のみとなって小さい振れを実現し且つ片手で携帯電話を持ち耳元まで引き上げ止め通話や操作が行なえることを可能とする付勢巻取り式携帯補助具を提供することを目的としている。
（３）  本発明の他の目的は前記（１）と（２）の目的を実現する付勢巻取り式携帯補助具を提供することを目的としている。
【０００６】
本発明の前記ならびのそのほかの目的と新規な特徴は次の説明を添付図面と照らし合わせて読むと、より完全に明らかになるであろう。ただし、図面はもっぱら解説のためであって、本発明の技術的範囲を限定するものではない。
【課題を解決するための手段】
【０００７】
上記目的を達成するために本発明は次に述べるような構成となっている。
（請求項１記載の発明）
筐体と、この筐体に設けられた発条などの付勢力により付勢巻取り回転するリールと、このリールに付勢巻取状態で前記筐体外に引き出されるリール紐と、前記リールよりも上方に設けられた前記リールの付勢巻取り回転をロックするロック機構部と、親指を前記筐体の裏側に当て該筐体の表側から人差し指を当てての摘み押し込み操作により可動されて、前記リールのロック状態を解除する前記ロック機構部の一部であるロック解除操作部と、前記リールよりも上方である前記筐体の上方に設けられた前記ロック解除操作部を指で押し込むことができるようにするための開口部と、からなることを特徴とする付勢巻取り式携帯補助具である。
（請求項２記載の発明）
請求項１記載の発明の構成において、リールの付勢巻取り回転のロックとロック解除が、リール紐の挟みロックと該挟みロックの解除によりなされるものであることを特徴とする付勢巻き取り式携帯補助具である。
（請求項３記載の発明）
請求項１記載の発明の構成において、リールの付勢巻取り回転のロックとロック解除が、該ロックが該リールにロック解除操作部が当ることによりなされ、該ロックの解除が該ロック解除操作部が該リールから離れることによりなされるようにしてなることを特徴とする付勢巻取り式携帯補助具である。
（付記）
（付記１の発明）
筐体と、この筐体に設けられた発条などの付勢力により付勢巻取り回転するリールと、このリールに付勢巻取状態で前記筐体外に引き出されるリール紐と、前記リールの上方に設けられた前記リールの付勢巻取り回転をロックするロック機構部と、
前記リールのロック状態を解除する前記ロック機構部の一部であるロック解除操作部とからなることを特徴とする付勢巻取り式携帯補助具である。
「リール」とは、紐（リール紐）を巻き取る手段を意味し、フランジの無い巻取り軸のみのもの、巻取り軸と一体的に回転する一対ないし１つのフランジを有するものなど多様な巻取り形態を技術的範疇に含むものである。
「筐体」とは、リールを被うケース体形態のもの、フランジの無い巻取り軸のみの場合において、巻取り軸を回転可能に軸受けする一対の回転しない側部の大半が開口した壁形態のものなどを技術的範疇に含むものである。
（付記２の発明）
付記１記載の発明の構成において、リール紐が適当な間隔をあけて設けられた左引出し口、右引出し口から引き出される左リール紐、右リール紐の一対のリール紐であることを特徴とする付勢巻取り式携帯補助具である。
（付記３の発明）
付記１、２いずれか記載の発明の構成において、ロック解除操作部が押し出し付勢力に抗して指で押え込む押さえ込みボタンであるとともに、筐体と前記押さえ込みボタンを主に親指と人差し指で摘み押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする付勢巻取り式携帯補助具である。
「リールのロック」は、リール紐を挟持状態、噛み状態等によりロックしてリールもロックする形態、リールそのものに直接当てる嵌めるなどによりロックする形態などがある。
（付記４の発明）
付記１〜３いずれか記載の発明の構成において、携帯電話などの携帯品の裏側に筐体のリールを有する部位を位置させ且つロック解除操作部を前記携帯品の外上方に位置するように取り付けるための取付部を前記筐体に設けてなることを特徴とする付勢巻取り式携帯補助具である。
「取付部」には、着脱自在に嵌合する形態、面ファスナーにより着脱自在に係着する形態、接着で固定する粘着剤、ネジの締め付けで固定するためのネジネジ通し穴など多様な形態がある。
（付記５の発明）
付記１〜４いずれか記載の発明の構成において、筐体の裏側に面ファスナーまたはクリップを設けてなることを特徴とする付勢巻取り式携帯補助具である。
（付記６の発明）
携帯電話や携帯音楽プレイヤーや携帯テレビ・ラジオ・携帯カメラ、ＩＣカード、携帯ケースなどの携帯品本体と、この携帯品本体に設けられた発条などの付勢力により付勢巻取り回転するリールと、このリールに付勢巻取状態で前記携帯品本体外に引き出される一対のリール紐と、この一対のリール紐で形成されるあるいは該一対のリール紐と他の部材によって形成される首掛けループ部と、前記携帯品本体を首から吊り下げた状態で見て該携帯品本体の上部あるいは上部に突出して設けられた前記リールの付勢巻取り回転をロックするロック機構部と、前記リールのロック状態を解除する前記ロック機構部の一部であるロック解除操作部とからなることを特徴とする携帯補助具付き携帯品である。
（付記７の発明）
付記６記載の発明の構成において、ロック解除操作部が押し出し付勢力に抗して指で押え込む押さえ込みボタンであるとともに、前記押さえ込みボタンを主に人差し指で押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする携帯補助具付き携帯品である。
（付記８の発明）
筐体と、この筐体に設けられた発条などの付勢力により付勢巻取り回転するリールと、このリールに付勢巻取状態で前記筐体外に引き出される一対のリール紐を形成する第１のリール紐、第２のリール紐と、前記第１のリール紐の端に設けられた第１のリール紐側着脱パーツと、前記第２のリール紐の端に設けられた前記第１のリール紐側着脱パーツと連結できる第２のリール紐側着脱パーツと、首に掛ける平紐と、この平紐の一方の端に設けられた前記第１のリール紐側着脱パーツに連結できる第１の平紐側着脱パーツと、前記平紐の他方の端に設けられた前記第２のリール紐側着脱パーツに連結できる第２の平紐側着脱パーツとからなることを特徴とする付勢巻取り式携帯補助具である。
（付記９の発明）
付記１〜６いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とする付勢巻取り式携帯補助具である。
（付記１０の発明）
付記７、８いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とする携帯補助具付き携帯品である。
【発明の効果】
【０００８】
以上の説明から明らかなように、本発明にあっては次に列挙する効果が得られる。
筐体と、この筐体に設けられた発条などの付勢力により付勢巻取り回転するリールと、このリールに付勢巻取状態で前記筐体外に引き出されるリール紐と、前記リールよりも上方に設けられた前記リールの付勢巻取り回転をロックするロック機構部と、親指を前記筐体の裏側に当て該筐体の表側から人差し指を当てての摘み押し込み操作により可動されて、前記リールのロック状態を解除する前記ロック機構部の一部であるロック解除操作部と、前記リールよりも上方である前記筐体の上方に設けられた前記ロック解除操作部を指で押し込むことができるようにするための開口部と、からなることを特徴とする付勢巻取り式携帯補助具であるので、
リールを有する筐体部分を携帯電話の裏側に位置するように係止手段で係止したり粘着剤などで固定したり面ファスナーなどの取付手段（取付部）で取付するとともに、ロック解除操作部は携帯電話の外の上方に位置させた取付形態を実現することができる。
これにより、
（１）  取り付けた携帯電話等の携帯品の上げ下げを片手のみで移動させ好みの位置でロック係留を行なうことを可能にできとともに、携帯電話の上方に近接されたロック解除操作部が一体化された形態を実現するので、例えば：首掛けループタイプでは携帯電話を首根っこに近接する部位まで上げることができ、且つ、より振れの小さい携行を可能にするという効果を奏する。
（２）  付勢巻取り式携帯補助具の殆どの部位は携帯電話の裏側に隠れているので、付勢巻取り式携帯補助具が目立つことの無い携行を実現するという効果を奏する。
（３）  携帯電話やカードケース等の携帯品の裏側に筐体を隠す形態を実現するものであるので、携帯電話に隠れる目立たない範囲（はみ出る形態を技術的範疇外とするものではなく、はみ出る形態も技術的範疇にふくまれるものである。）で筐体およびリールを従来のものより遥かに大きいものにできる。すなわち、平紐形状のリール紐を重ね巻取り形態としたものでも、持った手を略のばしきって携帯電話をかざすことを、付勢巻取り式携帯補助具が目立たない形態で実現できるという効果を奏する。
また、リール紐がループ形態では腰ベルトにループ形態のリール紐をまき掛けて腰に携帯電話を吊り状態にした状態で、携帯電話を耳元まで余裕で引き上げ持ってくることができるリール紐の長さを実現することができる。
（４）  腰ベルトやバックのベルトにループ形態のリール紐をまき掛けて携帯電話を吊り状態にした携行では次のような効果を奏する。（一歩のリール紐でも先端にクリップ、玉、面ファスナーバンドを設ける、縛るなどにより同様な効果を得ることができる。）
｛１｝  ズボンのポケットに携帯電話を収納携行する場合は、携帯電話と該携帯電話の上方に位置したロック解除操作部が一体形態であるので腰ベルトと携帯電話の距離は３ｃｍ程度短い形態を実現し、ズボンポケットの好適な位置に携帯電話を吊り状態で留置く（係留）ことができるという効果を奏する。
例えば：従来技術ではジーパンなどのポケットが上方にある場合には、ポケットの奥深く携帯電話が入ってしまい、取り出し難い、座ったときなどに携帯電話に無理な力がかかって故障を起しやすい、それを避けるために携帯電話をポケットから出して吊り状態で座った場合は吊り下げ状態が長いために（リール＋ループ細紐という少なくとも９ｃｍ程度の吊り、腰ベルトから携帯電話の下部までの距離は略２０ｃｍくらいである。）不具合を強く感じるなどの問題を持つものであった。
これに対して、本願発明ではポケットから半分は外に出しての携行を可能とし、取り出しやすい、半分出た状態で座ったときなどに無理な力が加わった場合はポケットから携帯電話が押し出されて外に吊り状態になりやすく、吊り状態となっても上げて腰ベルトから携帯電話の下部までの長さは１２ｃｍ程度と短く且つ振れる支点が腰ベルトやベルト通し部と掛けたリール紐のみであるので振れが大変小さく、不具合を感じさせない軽快さを感じさせる携行を実現するものである。
また、携帯電話とロック解除操作部が一体形態となっているので、片手で携帯電話をその指でロック解除操作部を操作したまま持ち耳元まで携帯電話を引き上げロックして止め通話や操作が行なえることを可能とするという効果を奏する。
｛２｝  腰ベルト（ベルト通し部を含む）やバックのベルトにループ形態のリール紐をまき掛けて携帯電話を外に単に吊り状態（ブラブラ状態）にした携行では、ベルトと携帯電話との距離が３ｃｍ程度と短く振れ支点がベルトと該ベルトにまわし掛けたリール紐のみとなって小さい振れを実現し、且つ、携帯電話とロック解除操作部が一体形態となっているので、片手で携帯電話をその指でロック解除操作部を操作したまま持ち耳元まで携帯電話を引き上げロックして止め通話や操作が行なえることを可能とするという効果を奏する。
（５）  本発明は、特許文献１、２の有する片手で上下に自在に移動できるという利点と、特許文献３の首根っこに近接する位置まで上げ係留して振れの小さい携行ができるという利点の両方を実現するとともに、特許文献１、２の首根っこに近接する位置まで携帯電話を上げ係留できないという欠点と、特許文献３の片手で上下操作ができない、吊り紐が携帯電話の下方に垂れるという欠点を解決するという効果を奏するものである。
（付記）
（付記１の発明の効果）
筐体と、この筐体に設けられた発条などの付勢力により付勢巻取り回転するリールと、このリールに付勢巻取状態で前記筐体外に引き出されるリール紐と、前記リールの上方に設けられた前記リールの付勢巻取り回転をロックするロック機構部と、前記リールのロック状態を解除する前記ロック機構部の一部であるロック解除操作部とからなることを特徴とする付勢巻取り式携帯補助具であるので、
リールを有する筐体部分を携帯電話の裏側に位置するように係止手段で係止したり粘着剤などで固定したり面ファスナーなどの取付手段（取付部）で取付するとともに、ロック解除操作部は携帯電話の外の上方に位置させた取付形態を実現することができる。
これにより、
（１）  取り付けた携帯電話等の携帯品の上げ下げを片手のみで移動させ好みの位置でロック係留を行なうことを可能にできとともに、携帯電話の上方に近接されたロック解除操作部が一体化された形態を実現するので、例えば：首掛けループタイプでは携帯電話を首根っこに近接する部位まで上げることができ、且つ、より振れの小さい携行を可能にするという効果を奏する。
（２）  付勢巻取り式携帯補助具の殆どの部位は携帯電話の裏側に隠れているので、付勢巻取り式携帯補助具が目立つことの無い携行を実現するという効果を奏する。
（３）  携帯電話やカードケース等の携帯品の裏側に筐体を隠す形態を実現するものであるので、携帯電話に隠れる目立たない範囲（はみ出る形態を技術的範疇外とするものではなく、はみ出る形態も技術的範疇にふくまれるものである。）で筐体およびリールを従来のものより遥かに大きいものにできる。すなわち、平紐形状のリール紐を重ね巻取り形態としたものでも、持った手を略のばしきって携帯電話をかざすことを、付勢巻取り式携帯補助具が目立たない形態で実現できるという効果を奏する。
また、リール紐がループ形態では腰ベルトにループ形態のリール紐をまき掛けて腰に携帯電話を吊り状態にした状態で、携帯電話を耳元まで余裕で引き上げ持ってくることができるリール紐の長さを実現することができる。
（４）  腰ベルトやバックのベルトにループ形態のリール紐をまき掛けて携帯電話を吊り状態にした携行では次のような効果を奏する。（一歩のリール紐でも先端にクリップ、玉、面ファスナーバンドを設ける、縛るなどにより同様な効果を得ることができる。）
｛１｝  ズボンのポケットに携帯電話を収納携行する場合は、携帯電話と該携帯電話の上方に位置したロック解除操作部が一体形態であるので腰ベルトと携帯電話の距離は３ｃｍ程度短い形態を実現し、ズボンポケットの好適な位置に携帯電話を吊り状態で留置く（係留）ことができるという効果を奏する。
例えば：従来技術ではジーパンなどのポケットが上方にある場合には、ポケットの奥深く携帯電話が入ってしまい、取り出し難い、座ったときなどに携帯電話に無理な力がかかって故障を起しやすい、それを避けるために携帯電話をポケットから出して吊り状態で座った場合は吊り下げ状態が長いために（リール＋ループ細紐という少なくとも９ｃｍ程度の吊り、腰ベルトから携帯電話の下部までの距離は略２０ｃｍくらいである。）不具合を強く感じるなどの問題を持つものであった。
これに対して、本願発明ではポケットから半分は外に出しての携行を可能とし、取り出しやすい、半分出た状態で座ったときなどに無理な力が加わった場合はポケットから携帯電話が押し出されて外に吊り状態になりやすく、吊り状態となっても上げて腰ベルトから携帯電話の下部までの長さは１２ｃｍ程度と短く且つ振れる支点が腰ベルトやベルト通し部と掛けたリール紐のみであるので振れが大変小さく、不具合を感じさせない軽快さを感じさせる携行を実現するものである。
また、携帯電話とロック解除操作部が一体形態となっているので、片手で携帯電話をその指でロック解除操作部を操作したまま持ち耳元まで携帯電話を引き上げロックして止め通話や操作が行なえることを可能とするという効果を奏する。
｛２｝  腰ベルト（ベルト通し部を含む）やバックのベルトにループ形態のリール紐をまき掛けて携帯電話を外に単に吊り状態（ブラブラ状態）にした携行では、ベルトと携帯電話との距離が３ｃｍ程度と短く振れ支点がベルトと該ベルトにまわし掛けたリール紐のみとなって小さい振れを実現し、且つ、携帯電話とロック解除操作部が一体形態となっているので、片手で携帯電話をその指でロック解除操作部を操作したまま持ち耳元まで携帯電話を引き上げロックして止め通話や操作が行なえることを可能とするという効果を奏する。
（５）  本発明は、引用文献１、２の有する片手で上下に自在に移動できるという利点と、引用文献３の首根っこに近接する位置まで上げ係留して振れの小さい携行ができるという利点の両方を実現するとともに、引用文献１、２の首根っこに近接する位置まで携帯電話を上げ係留できないという欠点と、引用文献３の片手で上下操作ができない、吊り紐が携帯電話の下方に垂れるという欠点を解決するという効果を奏するものである。
（付記２の発明の効果）
付記１記載の発明の構成において、リール紐が適当な間隔をあけて設けられた左引出し口、右引出し口から引き出される左リール紐、右リール紐の一対のリール紐であることを特徴とする付勢巻取り式携帯補助具であるので、
付記１記載の発明の効果に加えて、首に掛けるネックストラップ形態を実現するという効果を奏する。
（付記３の発明の効果）
付記１、２いずれか記載の発明の構成において、ロック解除操作部が押し出し付勢力に抗して指で押え込む押さえ込みボタンであるとともに、筐体と前記押さえ込みボタンを主に親指と人差し指で摘み押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする付勢巻取り式携帯補助具であるので、
付記１、２いずれか記載の発明の効果に加えて、「ボタンの摘み押えと離し」という簡単な操作によりリールのロック解除およびロックができるので、片手のみの操作で上下移動操作および好みの位置への係留が素早く軽快に行なえるので操作性が大変良いという効果を奏する。
（付記４の発明の効果）
付記１〜３いずれか記載の発明の構成において、携帯電話などの携帯品の裏側に筐体のリールを有する部位を位置させ且つロック解除操作部を前記携帯品の外上方に位置するように取り付けるための取付部を前記筐体に設けてなることを特徴とする付勢巻取り式携帯補助具であるので、
付記１〜３いずれか記載の発明の効果に加えて、ロック解除操作部部分以外の付勢巻取り式携帯補助具の殆どの部分を携帯電話の裏側に係止ないし固定が行なえるという効果を奏する。
（付記５の発明の効果）
付記１〜４いずれか記載の発明の構成において、筐体の裏側に面ファスナーまたはクリップを設けてなることを特徴とする付勢巻取り式携帯補助具であるので、
付記１〜４いずれか記載の発明の効果に加えて、面ファスナーなら着衣の側に設けた面ファスナーに係着することにより、クリップならワイシャツの前立て部位を挟持して、下方に吊り位置させた携帯電話が全く振れない携行と、携帯電話の荷重を着衣に掛けることにより首に掛けた首掛け部位（ループ）による首への負荷を大幅に軽減ないし殆ど皆無にした携行を可能とするという効果を奏する。
（付記６の発明の効果）
携帯電話や携帯音楽プレイヤーや携帯テレビ・ラジオ・携帯カメラ、ＩＣカード、携帯ケースなどの携帯品本体と、この携帯品本体に設けられた発条などの付勢力により付勢巻取り回転するリールと、このリールに付勢巻取状態で前記携帯品本体外に引き出される一対のリール紐と、この一対のリール紐で形成されるあるいは該一対のリール紐と他の部材によって形成される首掛けループ部と、前記携帯品本体を首から吊り下げた状態で見て該携帯品本体の上部あるいは上部に突出して設けられた前記リールの付勢巻取り回転をロックするロック機構部と、前記リールのロック状態を解除する前記ロック機構部の一部であるロック解除操作部とからなることを特徴とする携帯補助具付き携帯品であるので、
付記１記載の発明と同様な効果を奏する。
（付記７の発明の効果）
付記６記載の発明の構成において、ロック解除操作部が押し出し付勢力に抗して指で押え込む押さえ込みボタンであるとともに、前記押さえ込みボタンを人差し指で押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする携帯補助具付き携帯品であるので、
付記３記載の発明と同様な効果を奏する。
（付記８の発明の効果）
筐体と、この筐体に設けられた発条などの付勢力により付勢巻取り回転するリールと、このリールに付勢巻取状態で前記筐体外に引き出される一対のリール紐を形成する第１のリール紐、第２のリール紐と、前記第１のリール紐の端に設けられた第１のリール紐側着脱パーツと、前記第２のリール紐の端に設けられた前記第１のリール紐側着脱パーツと連結できる第２のリール紐側着脱パーツと、首に掛ける平紐と、この平紐の一方の端に設けられた前記第１のリール紐側着脱パーツに連結できる第１の平紐側着脱パーツと、前記平紐の他方の端に設けられた前記第２のリール紐側着脱パーツに連結できる第２の平紐側着脱パーツとからなることを特徴とする付勢巻取り式携帯補助具であるので、
平紐を取り付けて首掛けループを形成して首に掛け下げての平紐による当りの弱い首に優しい携行を実現するとともに、平紐を外して、第１のリール紐と第２の右リール紐連結してループを形成して、ズボンの腰ベルトやバンド通し部、バックのベルトにループをまわし通し掛けて状態として携帯電話等を吊り携行することができるという、２つの携行形態を実現するとういう効果を奏する。
また、リール紐を全部リールに巻取り収納した状態においては、第１のリール紐と第２のリール紐を連結したループ状態とすることにより、着脱パーツが立たない見た目の良い形態を実現するという効果を奏する。
（付記９の発明の効果）
付記１〜６いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とする付勢巻取り式携帯補助具であるので、
付記１〜６いずれか記載の発明の効果に加えて付記８記載の効果を加えた効果を奏する。
（付記１０記載の発明の効果）
付記７、８いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とする携帯補助具付き携帯品であるので、
付記７、８いずれか記載の発明の効果に加えて付記８記載の効果を加えた効果を奏する。
【発明を実施するための最良の形態】
【０００９】
以下、図面に示す発明を実施するための最良の形態により、本発明を詳細に説明する。但し、本願発明をそれらにのみに限定するものではない。また、実施の形態の説明にあたって同一構成部分には同じ符号を付与しその説明を省略する。
【００１０】
＜第１の実施の形態＞
図１〜図３に示す本発明を実施するための最良の第1の実施の形態において１は付勢巻取り式携帯補助具であって、この付勢巻取り式携帯補助具は１は長方形の筐体２と、この筐体２の内部に設けられた付勢巻取り機構部３と、この付勢巻取り機構部３から筐体２外に引き出された左リール紐４ａ、右リール紐４ｂの一対のリール紐で外側でループを形成するループ紐４と、付勢巻取り機構部３の上方に設けられた付勢巻取り機構部３の付勢回転を左リール紐４ａ、右リール紐４ｂを付勢挟持（噛み挟持）してロック状態とし且つ摘んだ指で押え押し込んでロック状態を解除する押し込みボタン形態のロック解除操作部５を筐体２の外に突出させたロック機構部６とからなっている。
【００１１】
付勢巻取り機構部３は、外周を歯車形態にした左リール８と、外周を歯車形態にした右リール９と、左リール８と右リール９の間に設けられた該左リール８と該右リール９の歯車に噛み合う歯車を外周に有する内部に巻取り付勢力である発条１０を内設した付勢回転体１１とからなっている。
左リール８は筐体２に一体的に形成されたリール軸１２に回転フリーに軸支され、右リール９は筐体２に一体的に形成されたリール軸１３に回転フリーに軸支され、付勢回転体１１の発条１０の内側先端は筐体２に一体的に形成された発条固定軸１４に固定され、発条１０の外側先端は付勢回転体１１に固定され、付勢回転体１１は発条固定軸１４に回転可能に軸支されている。
【００１２】
ロック機構部６は、横長の頭部１７、該頭部１７と同形状のロック部１８、頭部１７とロック部１８の間の左右に設けられた空間からなる左リール紐４ａ、右リール紐４ｂを通す紐通し部１９、中央に設けられた圧縮コイルバネ２０を入れるためのコイル入れ部２１とからなる横長の押しボタン形態であるロック解除操作部５と、筐体２内にセットしたロック解除操作部５の頭部１７の一部を筐体２外に露出させる筐体２の表面上方（右リール９の上方）に設けられた開口部２２と、筐体２の上部に離して設けられた紐通し部１９を通された左リール紐４ａを筐体２の外に引き出するための左引出し口２３、右リール紐４ｂを引き出するための右引出し口２４と、開口部２２の直ぐ下方に設けられた筐体２と一体成形により設けられた紐通し口形成体２５と、この紐通し口形成体２５の左右に設けられた紐通し部１９を通す左リール紐４ａを通す左リール紐通し口２６、右リール紐４ｂを通す右リール紐通し口２７とからなっている。
ロック解除操作部５はフリー状態では圧縮コイルバネ２０の押し出し付勢力により押し出し付勢状態にあって、この押し出し付勢状態では左リール紐４ａ、右リール紐４ｂはロック部１８と左引出し口２３、右引出し口２４、左リール紐通し口２６、右リール紐通し口２７に挟み付けられたロック状態となっていて、左リール８、右リール９および付勢回転体１１の回転もロック状態となっている。
親指を筐体２の裏側に当て人差し指をロック解除操作部５に当て摘み状態として、ロック解除操作部５を押し込むとロック部１８は後に移動してリール紐のロック状態が解除され、ロック解除操作部５を押し込み摘んだままの状態で上下に自在に移動させることができる。下げるときは発条１０の巻取り付勢力に抗して、上げるときは発条１０および付勢回転体１１による左リール８と右リール９の付勢回転による巻き込みによって、上下移動が素早く軽快に行なえる。
ロック解除操作部５の押し込みを止めると圧縮コイルバネ２０の付勢力によりロック部１８が前方に移動して左引出し口２３、右引出し口２４、左リール紐通し口２６、右リール紐通し口２７に挟み付けられたロック状態とし、好みの位置で止め係留状態とすることができる。
ロック部１８と左引出し口２３、右引出し口２４、左リール紐通し口２６、右リール紐通し口２７との間の隙間はリール紐の太さよりも狭くなっており、できる限る近接しているのが良い。
【００１３】
筐体２の左引出し口２３、右引出し口２４の直ぐ内側には紐受突起２８、２９が設けられ、ループ紐４が目いっぱい巻き込まれた状態で筐体２との間に指でループ紐４を摘み易くするための隙間が形成されるようになっている。
ループ紐４を目いっぱいに巻き取った状態において、筐体２の外で例えばハンドストラップとなるループを描くようにするのもよい。この場合、紐受突起２８、２９は必要がない。
筐体２の表部には携帯電話Ｋの裏側に設けたループ面ファスナー３０に係着させるフック面ファスナー３１が設けられ、筐体２の裏部にはループ面ファスナー３２が設けられている。
筐体２の下部には、携帯電話Ｋに取り付けた細吊り紐３３の丸環３４を取り付けるための紐掛け部３５が設けられ、付勢巻取り式携帯補助具１に取り付けた携帯電話Ｋが外れても紐掛け部３５によって地面への落下が阻止されるようになっている。
筐体２内部には左リール紐４ａ、右リール紐４ｂを案内する紐案内コロ３６ａ、３６ｂ、３６ｃが適宜設けられている。
付勢巻取り機構部３の筐体部位に対してロック機構部６の筐体部位は、ロック機構部６が前方に突出した厚みのある形態となっていて、その段差が顎部３７となって携帯電話Ｋを取り付ける際の当て部（位置決め部）としての役割をはたすようになっている。また、ロック機構部６を厚みのある前後に中空距離の長い形態としたことにより、ロック機構部６を形成しやすくするとともに、携帯電話Ｋの裏側にセットされる付勢巻取り機構部３側を薄い形態にできる。
左リール８、右リール９、付勢回転体１１の並べ順は付勢回転体１１が一番上でも一番下でも、左リール８、右リール９のいずれが上方に位置してもかまわず、また横並びとしても横長のカードケースやＩＣカードなどではよいなど多様な並び形態がある。
ループ面ファスナー３２に変えてクリップを設けるのも良い。クリップは向きを立て横に変えることができるものがよい。
【００１４】
付勢巻取り式携帯補助具１を携帯電話やカードケースなどに接着剤やネジで一体化してなる携帯補助具付き携帯品を形成するのもよい。
付勢巻取り式携帯補助具１の付勢巻取り機構部３およびロック機構部６を携帯電話などの携帯品に内設してなる携帯補助具付き携帯品を形成するのもよい。
筐体にカードケースを一体成形により設けてなる携帯補助具付き携帯品を形成するのもよい。
以下に述べる付勢巻取り式携帯補助具の実施の形態においては、上記のようにすることにより携帯補助具付き携帯品を形成する携帯補助具付き携帯品を形成することを実施の形態の１つとするものであり、以下においてはその説明を省略する。
【００１５】
＜第２の実施の形態＞
図４、図５に示す本発明を実施するための最良の第２の実施の形態において４０は付勢巻取り式携帯補助具であって、この付勢巻取り式携帯補助具４０は筐体４１と、この筐体４１の内部に設けられた付勢巻取り機構部４２と、この付勢巻取り機構部４２から筐体４１外に引き出された左リール紐４ａ、右リール紐４ｂと、付勢巻取り機構部４２の上方に設けられた付勢巻取り機構部４２の付勢回転をロック状態とし且つ摘んだ指で押え押し込んでロック状態を解除する押し込みボタン形態のロック解除操作部４３を筐体４１の外に開口部３９から露出させたロック機構部４４とからなっている。
【００１６】
付勢巻取り機構部４２は外周を歯車形態にした左リール４５と、該左リール４５と歯車を噛み合わせた外周を歯車形態にした左リール４５と、右リール４６を付勢回転体にする該右リール４６に内設された発条１０とからなっている。
左リール４５は筐体４１に一体的に形成されたリール軸１２に回転フリーに軸支され、右リール４６は筐体４１に一体的に形成された発条固定軸１４に回転可能に軸支され、発条１０の内側先端は発条固定軸１４に固定され、発条１０の外側先端は右リール４６に固定されている。
左リール４５を右リール４６と同じように発条１０を備えた構成として、２つのリールがそれぞれ付勢巻取り回転するようにするのもよい。
【００１７】
ロック機構部４４は、円形のロック解除操作部４３と、このロック解除操作部４３の左右に突出形成された回転阻止突起４７ａ、４７ｂと、ロック解除操作部４３の下部に突出設けられた右リール紐４６の歯車に噛み合わさるロック突起４８と、ロック解除操作部４３、回転阻止突起４７ａ、４７ｂが嵌る筐体４１に一体的形成されてなる操作部支持部４９と、ロック解除操作部４３の内側に入れられた該４３を押し出し付勢している圧縮コイルバネ２０とからなっている。
右リール紐４６の歯車５０は一対のフランジの前方フランジに形成されており、ロック突起４８は歯車５０のフランジの厚みより少し厚めであって、後方に移動できる空間を有している。
通常はロック解除操作部４３は圧縮コイルバネ２０により外側に押し出し付勢状態となっているので、ロック突起４８は最前方に位置されて歯車５０に噛み合い状態であるロック状態となっている。
指でロック解除操作部４３を押し込むとロック突起４８は後方に移動して歯車５０外に位置しロック解除状態となる。ロック解除操作部４３を押し込んだまま、片手のみで上下移動を素早く簡単・軽快に行なうことができる。ロック解除操作部４３の押し込みを止めるとロック状態となりその場所で係留状態となる。
【００１８】
筐体４１の左右には筐体４１の表面を同じにしてなるフランジ５１ａ、５１ｂが設けられている。
携帯電話Ｋの裏側には、フランジ５１ａ、５１ｂを下方から嵌め込む携行補助具取付部５２ａ、５２ｂが設けられている。
筐体４１の外に出されている左リール紐４ａ（第１のリール紐）の先端には２ｋｇ以上の引張りがあると外れる着脱パーツ５３の雄パーツ５５（第１のリール紐側着脱パーツ）が取り付けられ、右リール紐４ｂ（第２のリール紐）の先端には着脱パーツ５３の雌パーツ５６（第２のリール紐側着脱パーツ）が取り付けられていて、一方の端に着脱パーツ５３の雌パーツ５６（第１の平紐側着脱パーツ）を取り付け他方の端に着脱パーツ５３の雄パーツ５５（第２の平紐側着脱パーツ）を取り付けてなる１０ｍｍ〜１５ｍｍ幅の平紐５４が連結され、首掛けループ５７を形成している。
平紐５４を取り付けて首掛けループ５７を形成して首に掛け下げての平紐による当りの弱い首に優しい携行を実現するとともに、平紐５４を外して、左リール紐４ａの雄パーツ５５と右リール紐４ｂの雌パーツ５６を連結してループを形成して、ズボンの腰ベルトやバンド通し部、バックのベルトにループをまわし通し掛けて状態として携帯電話等を吊り携行するときに、吊りの短く振れの小さい携行を実現し吊り紐が邪魔にならない携行という、２つの携行形態を実現するとういう効果を奏する。
また、リール紐を全部リールに巻取り収納した状態においては、左リール紐と右リール紐を連結したループ状態とすることにより、着脱パーツ５３が立たない見た目の良い形態を実現するという効果を奏する。
平紐５４はソフトゴム平紐とするのがクッション性の優しく負荷の感じ方が優しいものとできるのでよい。
着脱パーツはリングと丸環（開口が開閉する）などの他のパーツによるものも技術的範疇に含まれるものである。
左リール４５と右リール４６は横並びとする形態もよい。
筐体４１を携帯電話のバッテリカバーとするのもよい。この場合は携帯補助具付き携帯品を形成する。
【００１９】
＜第３の実施の形態＞
図６〜図８に示す本発明を実施するための最良の第３の実施の形態において６０は付勢巻取り式携帯補助具であって、付勢巻取り式携帯補助具６０は筐体６１と、この筐体６１の内部に設けられた付勢巻取り機構部６２と、この付勢巻取り機構部６２から筐体６１外に引き出された左リール紐６３ａ、右リール紐６３ｂの一対の平紐で首掛けループを形成するループ紐６４と、付勢巻取り機構部６２の上方に設けられた付勢巻取り機構部６２の付勢回転をロック状態とし且つ摘んだ指で押え押し込んでロック状態を解除する押し込みボタン形態のロック解除操作部６５を筐体６１の外に開口部６６から露出させたロック機構部６７と、筐体６１の付勢巻取り機構部６２を収納している巻取り機構筐体部６８と、筐体６１のロック機構部６７を収納してなる巻取り機構筐体部６８よりも前方に突出してなるロック機構筐体部６９と、巻取り機構筐体部６８とロック機構筐体部６９に境に形成された顎部７０と、この顎部７０から突出された携帯電話Ｋの首から吊り下げた状態で見て携帯電話本体Ｂの頂部に設けられたフック掛け穴７１に嵌合掛けるフック部７２、７２を有するフック機構部７３と、筐体６１の下部に立ち下げられた差込片７４とからなっている。
【００２０】
付勢巻取り機構部６２は、筐体６１と一体成形により設けられた発条固定軸７５に回転自在に取り付けられた一対にフランジを有するリール７６と、このリール７６に内設され内端を発条固定軸７５に固定し外端をリール７６に固定して、リール７６を付勢巻取り回転状態にする発条７７と、ループ紐６４を案内する案内コロ７８ａ、７８ｂ、７８ｃ、７８ｄとからなっている。
【００２１】
ロック機構部６７は、円形ボタン形態のロック解除操作部６５と、この円形ボタン形態のロック解除操作部６５の下部の左右に突出するように設けられた板状のロック部７９ａ、７９ｂと、ロック解除操作部６５の下方に該ロック解除操作部６５に隣接して筐体６１に固定設けられた紐通し口形成体２５と、ロック解除操作部６５に入れられ該ロック解除操作部６５を押し出し付勢状態としている圧縮コイルバネ２０とからなっている。
通常の状態では圧縮コイルバネ２０の押し出し付勢されているロック部７９ａ、７９ｂはその前部を通っているループ紐６４を押して左リール紐通し口２６、右リール紐通し口２７および左引出し口２３、右引出し口２４とであるいはいずれか一方を口とロック部とがずれることによる一種の噛み状態（挟み状態）にしてロックし、よって付勢巻取り回転を使用とするリール７６の回転がロックされ、その場所で係留状態にされる。
指で筐体６１ごと親指と人差し指でロック解除操作部６５を摘み該ロック解除操作部６５を人差し指で押し込むことにより、ロック部７９ａ、７９ｂが後方に移動してループ紐６４を該ロック部７９ａ、７９ｂが押える状態が解除される。ロック解除操作部６５を押し込んだままで、上方に移動させるとリール７６の付勢巻取り回転によりループ紐６４は自動的に巻き取られ、下方に移動させるとリール７６は巻取り付勢力に抗して送出し回転をして発条７７が巻かれる。
【００２２】
フック機構部７３は、ロック機構筐体部６９の下方内の左右に設けられた操作駒８０、８１と、操作駒８０、８１の外側部に設けられたロック機構筐体部６９の側部から外に突き出した押し込み部８２と、操作駒８０、８１の内側部に設けられた８０、８１と一体成形により形成されたスプリング８３と、操作駒８０、８１の下部に設けられた顎部７０から外に突き出したフック７２ａ、７２ｂと、スプリング８３、８３を受ける筐体６１と一体成形で設けられたスプリング受部８４とからなっている。
押し込み部８２、８２を押し込むとスプリング８３、８３に抗してフック部７２、７２は内側に移動し（携帯電話Ｋのフック掛け穴７１に出し入れできる状態）、押し込み部８２、８２の押し込みを止めるとスプリング８３、８３の押し出し付勢力によりフック部７２、７２は外側に移動しその状態（携帯電話Ｋのフック掛け穴７１のフックが掛った状態）が保持される。
携帯電話Ｋに取り付ける際には、先ず差込片７４を携帯電話Ｋの裏側に設けた片差込部８５に差し込んでからフック部７２、７２をフック掛け穴７１に嵌める。
【００２３】
＜第４の実施の形態＞
図９に示す本発明を実施するための第４の実施の形態において前記第２の実施の形態と主に異なる点は、付勢巻取り機構を右リール４６と同じものであるリール８６の１つとし、リール８６に筐体８７の外でループを形成する左リール紐８８ａと右リール紐８８ｂを重ね形態で巻き取った付勢巻取り式携帯補助具８９を形成した点にある。
ロック機構部９０、付勢巻取り機構部９１。
【００２４】
＜第５の実施の形態＞
図１０、図１１に示す本発明を実施するための第５の実施の形態において９２は付勢巻取り式携帯補助具であって、この付勢巻取り式携帯補助具９２は筐体９３と、この筐体９３に内設されたリール９４と、このリール９４の内側に設けられた該リール９４を付勢巻取り回転させる内端を筐体９３に一体的に形成された発条固定軸１４に固定し外端をリール９４に固定してなる発条１０と、リール９４に重ね巻き取りされ筐体９３の外に引き出されてループを形成している左リール紐９５ａ、右リール紐９５ｂと、この左リール紐９５ａ、右リール紐９５ｂを抑え付けて移動を止めリール９４の回転をロック・ロック解除するロック機構部９６と、筐体９３の裏側に設けられた薄平板形態のクリップ９７とからなっている。
【００２５】
ロック機構部９６は、筐体９３の上方にあけられた開口部９８から一部を外に出してなる押し込みボタン形態のロック解除操作部９９と、このロック解除操作部９９の下方の左右に突出設けられた腕支持肩部１００、１００と、この腕支持肩部１００、１００に軸支され回動自在に設けられたへの字形状の腕部１０１、１０１と、ロック解除操作部９９内に収納された該ロック解除操作部９９を押し出し付勢状態にする圧縮コイルバネ１０２とからなり、通常状態では圧縮コイルバネ１０２の押し出し付勢力によりロック解除操作部９９および軸受け肩部１００、１００も前方に位置し、これに伴って腕支持肩部１００、１００とリンク機構を形成する腕部１０１、１０１の先端は外側に付勢位置して左リール紐９５ａ、右リール紐９５ｂを筐体９３の内壁に形成された凹部１０３、１０３に押し込み壁に押し当て挟持状態にして左リール紐９５ａ、右リール紐９５ｂの移動をロックし、それによりリール９４はロックされる。
摘んだ指でロック解除操作部９９を押し込むと腕部１０１、１０１の先端は内側に動いて左リール紐９５ａ、右リール紐９５ｂから離れそのロックを解除する。ロック解除操作部９９を摘み押し込んだまま上下に自在に移動させることができ、指を離すと圧縮コイルバネ１０２の付勢力により自動的にロック状態となる。
【００２６】
ロック解除操作部９９の下側には携帯電話Ｋを当てその取り付け位置を決めるための位置決め部１０４が設けられ、筐体９３の上部には該筐体９３の頭部の中央を凹み形成してなる最大限に巻き込まれ張った左リール紐９５ａ、右リール紐９５ｂを指や爪で摘み易くするための凹部１０５が設けられている。
【００２７】
＜第６の実施の形態＞
図１２、図１３に示す本発明を実施するための最良の第６の実施の形態において１０８は付勢巻取り式携帯補助具であって、この付勢巻取り式携帯補助具１０８は筐体１０９と、この筐体１０９の内部に設けられたリール９４と、このリール９４の内側に内設された該リール９４を付勢巻取り回転させる内端を筐体１０９に固定された発条固定軸１４に固定し外端をリール９４に固定してなる発条１０と、リール９４に巻き取られて筐体１０９の頂部中央の引き出し口１０７から該筐体１０９の外に引き出されてなるリール紐１１０と、リール９４の上方に設けられたリール紐１１０を通し該リール紐１１０の移動とロックを行なうロック機構部１１１とからなっている。
リール紐１１０の先端にはクリップ１０６が設けられている。
【００２８】
ロック機構部１１１は、円形中空形態のその頭部を筐体１０９の表に空けられた開口部１１２から出すように設けられた押し込みボタン形態のロック解除操作部１１３と、このロック解除操作部１１３の左右に設けられたスプリング受部１１４、１１４と、ロック解除操作部１１３に貫通されたリール紐１１０を通す紐通し部１１５と、スプリング受部１１４、１１４に支持されたロック解除操作部１１３を押し出し付勢状態にするスプリング１１６、１１６とからなっている。
通常、ロック解除操作部１１３はスプリング１１６、１１６に前方に向けて押し出し付勢状態にあるので、紐通し部１１５に通されているリール紐１１０は前方の持っていかれて、引き出し口１０７と紐通し部１１５はズレ状態となり、引き出し口１０７と紐通し部１１５で噛まれ挟まれた状態にされて移動できないロック状態にある。この状態ではリール９４もリール紐１１０の付勢引き状態でその回転がロックされた状態にある。
指で摘んでロック解除操作部１１３を指で押し込み操作すると、引き出し口１０７と紐通し部１１５は重なり状態となってそのロック状態は解除され、通されているリール紐１１０は移動が自在に行なえるようになる。ロック解除操作部１１３を指で押し込んだまま上下移動を自在に行なうことができ、指を離すとスプリング１１６、１１６の押し出し付勢力により自動的にロック状態となって、好みの位置に係留することが自在に行なえる。
【００２９】
図１３において、筐体１０９にカードケース１１７を接着して取り付けられ携帯補助具付き携帯品１１８を形成している。
カードケース１１７を筐体１０９のカバー側として形成することによりコスト低減を図ることができる。
【００３０】
＜第７の実施の形態＞
図１４に示す本発明を実施するための最良の第７の実施の形態において前記第６の実施の形態と主に異なる点は、リール９４に左リール紐１２０ａと右リール紐１２０ｂを重ね巻きし筐体１０９外に引き出された部位でループ１２１を形成し、ロック機構部をロック機構部１２２としてなる付勢巻取り式携帯補助具１２３を形成した点にある。
ロック機構部１２２は、筐体９４の開口部１１２から一部を出すように設けられた円形の押しボタン形態のロック解除操作部１２４と、このロック解除操作部１２４の指当て部１２７から後方に延びた中空の支柱部１２５と、この支柱部１２５の後部に設けられたロックフランジ部１２６と、ロック解除操作部１２４の指当て部１２７とロックフランジ部１２６の間に横凹形態に形成された紐通し部１２８、１２８と、支柱部１２５の中空部に一部を入れロック解除操作部１２４を押し出し付勢状態とする圧縮コイルバネ１２９と、筐体１０９に一体成形により設けられてなるロック解除操作部１２４を可動可能に収納する操作片収納部１３０と、この操作片収納部１３０に設けられた左リール紐１２０ａと右リール紐１２０ｂを通す紐通し部１３１、１３１、１３１、１３１とからなっている。
通常、ロック解除操作部１２４は圧縮コイルバネ１２９に前方に向けて押し出し付勢状態にあるので、紐通し部１２８、１２８に通されている左リール紐１２０ａと右リール紐１２０ｂは前方の持っていかれて、紐通し部１３１、１３１、１３１、１３１と紐通し部１２８、１２８はズレ状態となり、ロックフランジ部１２６と紐通し部１３１、１３１、１３１、１３１で噛まれ挟まれた状態にされて移動できないロック状態にある。この状態ではリール９４も左リール紐１２０ａと右リール紐１２０ｂの付勢引き状態のままその回転がロックされた状態にある。
指で摘んでロック解除操作部１２４を指で押し込み操作すると、紐通し部１３１、１３１、１３１、１３１と紐通し部１２８、１２８は重なり状態となってそのロック状態は解除され、通されているリール紐１１０は移動が自在に行なえるようになる。ロック解除操作部１２４を指で押し込んだまま上下移動を自在に行なうことができ、指を離すと圧縮コイルバネ１２９の押し出し付勢力により自動的にロック状態となって、好みの位置に係留することが自在に行なえる。
【００３１】
＜第８の実施の形態＞
図１５に示す本発明を実施するための最良の第８の実施の形態において前記第７の実施の形態と主に異なる点は、筐体１０９の蓋になる部位をカードケース１３４としてなる携帯補助具付き携帯品１３５を形成してなる点にある。
コストを低減をはかれるとともに、接着して取り付ける形態よりも薄くできる。
【００３２】
＜第９の実施の形態＞
図１６に示す本発明を実施するための最良の第9の実施の形態において１３８は携帯補助具付き携帯品であって、この携帯補助具付き携帯品１３８は折畳式携帯電話であって、携帯電話本体Bの後部側に前記第4の実施の形態の付勢巻取り式携帯補助具８９のロック機構部９０と付勢巻取り機構部９１を内設したものであるとともに、携帯電話本体Bの上部をディスプレー部Dから上部にはみ出した携帯電話本体B本体よりも薄形態のはみ出し部１３９に形成し、このはみ出し部１３９にロック機構部９０およびそのロック解除操作部４３を設けた構成としたものである。
左リール紐８８ａと右リール紐８８ｂとで首に掛けるループ１４２を形成している。
ディスプレー部Dの表面には太陽電池パネル１４４が設けられ、光のあるところでは自動的にバッテリー１４０に充電がなされるようになっていて、ディスプレー部Dは略直角に開いたところで確りとした停止状態（それ以上開くことが容易にできる）になるようにヒンジー部１４１が構成されている。
ロック解除操作部４３を伸縮柔軟性シート部材などのカバーを設けて、内部に埃等が入らないようにするのがよい。
【００３３】
＜第１０の実施の形態＞
図１７に示す本発明を実施するための最良の第１０の実施の形態において前記第９の実施の形態と主に異なる点は、携帯電話本体Bの上部をディスプレー部Dから上部にはみ出した携帯電話本体B本体おなじ厚さのはみ出し部１４３に形成した携帯補助具付き携帯品１４４を形成した点にある。
【００３４】
＜第１１の実施の形態＞
図１８に示す本発明を実施するための最良の第１１の実施の形態において１４５は携帯補助具付き携帯品であって、この携帯補助具付き携帯品１４５はICカードなどのカードを収納するカード収納部１４６を有するカード収納部本体１４７と、このカード収納部本体１４７の上部に突出して設けられたはみ出し部１４８と、このはみ出し部１４８に設けられた前部にロック解除操作部１２４を位置させてなるロック機構部１２２と、カード収納部本体１４７の裏に設けられた左右一対の左リール体１４９、右リール体１５０とからなる付勢巻取り機構部１５１と、左リール体１４９、右リール体１５０に付勢巻き取られ外に引き出され、ロック機構部１２２を通され、首に掛けるループ１５２を形成する左リール紐１５３ａ、右リール紐１５３ｂとからなっている。
左リール体１４９、右リール体１５０は筐体１５４と、この筐体１５４に収納された左リール紐１５３ａ、右リール紐１５３ｂを付勢巻取りするリール９４と、リール９４の内側に設けられた該リール９４を付勢巻取り回転させる内端を筐体１５４に一体的に形成された発条固定軸１４に固定し外端をリール９４に固定してなる発条１０とからなっている。
左リール体１４９、右リール体１５０はカード収納部本体１４７に接着などにより固定されている。カード収納部本体１４７を筐体１５４の蓋とする構成もよい。この場合カード収納部本体１４７は筐体１５４とともにその筐体の構成部といえ、発条固定軸などの軸を設けることが可能である。
ロック機構部１２２の詳細は図１４を参照。
【００３５】
＜第１２の実施の形態＞
図１９に示す本発明を実施するための最良の第１２の実施の形態において前記第１１実施の形態と主に異なる点は、ロック機構部１２２をはみ出し部の１４８の前部に設け、ロック機構部１２２の下方ではみ出し部１４８に左リール紐１５３ａ、右リール紐１５３ｂを通し裏側にまわするための紐通し孔１５８を設けてなる携帯補助具付き携帯品１５９を形成した点にある。
【００３６】
＜第１３の実施の形態＞
図２０に示す本発明を実施するための最良の第１３の実施の形態において前記第１１実施の形態と主に異なる点は、ロック機構部を左リール４５、右巻取リール４６を横並びにした付勢巻取り機構部４２とし、ケース本体１６２を付勢巻取り機構部４２とロック機構部１２２を収納する筐体とした携帯補助具付き携帯品１６３を形成した点にある。
裏側にはワイシャツの胸ポケットなどに係止するための弱い付勢力のクリップ１６４が設けられている。
左リール４５も右リール４６と同じように発条１０を有する構成として、２つのリールがするのもよい。
ロック機構部１２２の詳細は図１４を参照。
【００３７】
【産業上の利用可能性】
【００３８】
本発明は携帯電話などの携帯補助具を製造する産業で利用される。
【図面の簡単な説明】
【００３９】
【図１】本発明を実施するための最良の第１の実施の形態の正面図、側面図、平面図、背面図。
【図２】本発明を実施するための最良の第１の実施の形態の携帯電話を取り付けた状態の正面図、側面図、背面図。
【図３】本発明を実施するための最良の１実施の形態の巻取りロック機構を示す正面図および巻取りロック機構を示す側面図。
【図４】本発明を実施するための最良の第２の実施の形態の巻取りロック機構を示す正面図および巻取りロック機構を示すリール紐を省略した側面図。
【図５】本発明を実施するための最良の第２の実施の形態の正面図、背面図、携帯電話の背面図および携帯電話を取り付けた状態の背面図。
【図６】本発明を実施するための最良の第３の実施の形態の正面図、側面図および背面図。
【図７】本発明を実施するための最良の第３の実施の形態の内部構造を示す正面図およびその側面図。
【図８】本発明を実施するための最良の第３の実施の形態の携帯電話を取り付けた状態の正面図、その側面図およびその背面図。
【図９】本発明を実施するための最良の第４の実施の形態の内部構造を示す正面図、中央縦断面図および動作を示す内部構造側面図。
【図１０】本発明を実施するための最良の第５の実施の形態の正面図、携帯電話を取り付けた状態の側面図および携帯電話を取り付けた状態の正面図。
【図１１】本発明を実施するための最良の第５の実施の形態の内部構造と動作を示す平面図と正面図。
【図１２】本発明を実施するための最良の第６の実施の形態の正面図、側面図、内部構造を示す正面図およびロック機構部の動作説明図。
【図１３】本発明を実施するための最良の第６の実施の形態のカードケースを接着取り付けた状態の正面図、背面図、側面図。
【図１４】本発明を実施するための最良の第７の実施の形態の内部構造を正面図およびロック機構部の動作図。
【図１５】本発明を実施するための最良の第８の実施の形態の正面図、背面図および側面図。
【図１６】本発明を実施するための最良の第９の実施の形態のディスプレー部を少し開いた状態の側面図およびディスプレー部を閉じた状態の正面図。
【図１７】本発明を実施するための最良の第１０の実施の形態のディスプレー部を90度開いた状態の側面図およびディスプレー部を閉じた状態の正面図。
【図１８】本発明を実施するための最良の第１１の実施の形態の正面図、側面図および背面図。
【図１９】本発明を実施するための最良の第１２の実施の形態の正面図、側面図および背面図。
【図２０】本発明を実施するための最良の第１３の実施の形態の正面図、側面図および内部構造を示す正面図。
【符号の説明】
【００４０】
Ｋ：携帯電話、
Ｂ：携帯電話本体、
Ｄ：ディスプレー部、
１：付勢巻取り式携帯補助具、
２：筐体、
３：付勢巻取り機構部、
４：ループ紐、
４ａ：左リール紐、
４ｂ：右リール紐、
５：ロック解除操作部、
６：ロック機構部、
８：左リール、
９：右リール、
１０：発条、
１１：付勢回転体、
１２：リール軸、
１３：リール軸、
１４：発条固定軸、
１７：頭部、
１８：ロック部、
１９：紐通し部、
２０：圧縮コイルバネ、
２１：コイル入れ部、
２２：開口部、
２３：左引出し口、
２４：右引出し口、
２５：紐通し口形成体、
２６：左リール紐通し口、
２７：右リール紐通し口、
２８：紐受突起、
２９：紐受突起、
３０：ループ面ファスナー、
３１：フック面ファスナー、
３２：ループ面ファスナー、
３３：細吊り紐、
３４：丸環、
３５：紐掛け部、
３６、３６ａ、３６ｂ、３６ｃ、３６ｄ：紐案内コロ、
３７：顎部、
３９：開口部、
４０：付勢巻取り式携帯補助具、
４１：筐体、
４２：付勢巻取り機構部、
４３：ロック解除操作部、
４４：ロック機構部、
４５：左リール、
４６：右リール、
４７ａ、４７ｂ：回転阻止突起
４８：ロック突起、
４９：操作部支持部、
５０：歯車、
５１ａ、５１ｂ：フランジ、
５２ａ、５２ｂ：携行補助具取付部、
５３：着脱パーツ、
５５：雄パーツ、
５６：雌パーツ、
５７：平紐、
６０：付勢巻取り式携帯補助具、
６１：筐体、
６２：付勢巻取り機構部、
６３ａ：左リール紐、
６３ｂ：右リール紐、
６４：ループ紐、
６５：ロック解除操作部、
６６：開口部、
６７：ロック機構部、
６８：巻取り機構筐体部、
６９：ロック機構筐体部、
７０：顎部、
７１：フック掛け穴、
７２：フック部、
７３：フック機構部、
７４：差込片、
７５：発条固定軸、
７６：リール、
７７：発条、
７８ａ、７８ｂ、７８ｃ、７８ｄ：案内コロ、
７９ａ、７９ｂ：ロック部、
８０：操作駒、
８１：操作駒、
８２：押し込み部、
８３：スプリング、
８４：スプリング受部、
８５：片差込部、
８６：リール、
８７：筐体、
８８ａ：左リール紐、
８８ｂ：右リール紐、
８９：付勢巻取り式携帯補助具、
９０：ロック機構部、
９１：付勢巻取り機構部、
９２：付勢巻取り式携帯補助具、
９３：筐体、
９４：リール、
９５ａ：左リール紐、
９５ｂ：右リール紐、
９６：ロック機構部、
９７：クリップ、
９８：開口部、
９９：ロック解除操作部、
１００：腕支持肩部、
１０１：腕部、
１０２：圧縮コイルバネ、
１０３：凹部、
１０４：位置決め部、
１０５：凹部、
１０７：引き出し口、
１０８：付勢巻取り式携帯補助具、
１０９：筐体、
１１０：リール紐、
１１１：ロック機構部、
１１２：開口部、
１１３：ロック解除操作部、
１１４：スプリング受部、
１１５：紐通し部、
１１６：スプリング、
１２０ａ：左リール紐、
１２０ｂ：右リール紐、
１２１：ループ、
１２２：ロック機構部、
１２３：付勢巻取り式携帯補助具、
１２４：ロック解除操作部、
１２５：支柱部、
１２６：ロックフランジ部、
１２７：指当て部、
１２８：紐通し部、
１２９：圧縮コイルバネ、
１３０：操作片収納部、
１３１：紐通し部、
１３４：カードケース、
１３５：携帯補助具付き携帯品、
１３８：携帯補助具付き携帯品、
１３９：はみ出し部、
１４０：バッテリー、
１４１：ヒンジー部、
１４５：携帯補助具付き携帯品、
１４６：カード収納部、
１４７：カード収納部本体、
１４８：はみ出し部、
１４９：左リール体、
１５０：右リール体、
１５１：付勢巻取り機構部、
１５２：ループ、
１５３ａ：左リール紐、
１５３ｂ：右リール紐、
１５４：筐体、
１５５：カード挿入口、
１５８：紐通し孔、
１５９：携帯補助具付き携帯品、
１６２：ケース本体、
１６３：携帯補助具付き携帯品、
１６４：クリップ。
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
前部に携帯電話、カメラ、音楽プレーヤー、携帯ラジオ・テレビ、携帯ＧＰＳ、ＩＣカード、カードケースなどの携帯品を取り付けるあるいは収納するための手段であるフック面ファスナー、左右に設けた携帯電話を取り付けるためのフランジ、指で挟み押さえ緩め操作で対抗横可動するように設けた一対のフック部、カード収納部本体あるいはカードを収納するカードケースを有するとともに、上部に引出し口を設け内部に発条固定軸を設けてなる筐体と、
この筐体に取り付けられたあるいは収納された携帯品の後ろに位置する該筐体内に設けられた、前記発条固定軸に固定された発条の付勢力により付勢巻取り回転するリールと、
このリールに付勢巻取状態で前記筐体の前記引き出し口から外に引き出されるリール紐と、
前記リールの上方に形成された前記筐体の一部である空間部と、
前記リールよりも上方である前記空間部に設けられた、前記リールの付勢巻取り回転のロックとロック解除が、前記リール紐の挟みロックと該挟みロックの解除によりなされるロック機構部と、
親指を前記筐体の裏側に当て該筐体の表側から人差し指を当てての摘み押し込み操作により可動されて、前記リールのロック状態を解除する前記ロック機構部の一部である、前記リール紐の前記挟みロックを実現させている押し出し付勢力に抗して指で押え込む押さえ込みボタンであるロック解除操作部と、
前記リールおよび前記筐体側に収納あるいは取り付けられた携帯品よりも上方である、前記筐体の前記空間部を形成する部位に設けられた前記ロック解除操作部を指で押し込むことができるようにするための前記ロック機構部の一部である開口部とからなることを特徴とする付勢巻取り式携帯補助具。
【請求項２】
ロック操作解除部の左右に突出するようにロック部が設けられ、リール紐は左リール紐と右リール紐からなり、引き出し口が開口部の側部線上から左右外側に外れる間隔をあけて設けられ、前記左リール紐と右リール紐は前記左右のロック部によりロックされるようになっていて、リールの付勢巻取り回転のロックとロック解除が、前記左リール紐と右リール紐の前記左右のロック部の挟みロックと該挟みロックの解除によりなされるものであることを特徴とする請求項１記載の付勢巻き取り式携帯補助具。
【手続補正２】
【補正対象書類名】明細書
【補正対象項目名】全文
【補正方法】変更
【補正の内容】
【発明の詳細な説明】
【技術分野】
【０００１】
本発明は、携帯電話、カメラ、音楽プレーヤー、携帯ラジオ・テレビ、携帯ＧＰＳ、ＩＣカード、カードケースなどの携帯品を首から吊るし携行したり腰やバックに吊るし携行するのに適した付勢巻取り式携帯補助具に関する。
【背景技術】
【０００２】
従来の付勢巻取り式携帯補助具を有するネックストラップ装置には以下に述べるものがある。
（１）  特許文献１（実用新案登録第３０７０７８９号公報）に、筐体と、この筐体に固定され内側に突出した固定軸と、この固定軸に内端を固定してなる発条と、この発条の外端を固定してその戻り付勢力により付勢巻取り回転するリール（巻取りドラム）と、このリールに両端を固定して２重巻き形態で該リールに巻取られる細帯状の首掛けループを形成してなるリール紐（帯紐）と、筐体とリールの中央に設けられた、押すとロックが解除されて付勢巻取り状態となり離すとロックされてリールの回転が止められるようにしてなるロックボタン機構と、筐体の下部から下げられた携帯電話などを吊り下げるためのループ細紐（松葉）と、とからなる付勢巻取り式携帯補助具の発明が開示されている。
（２）  特許文献２（特開平９−２９９１２８号公報）に、発条によりループリール紐を巻取り付勢状態とされた2つのリール（巻取りドラム）をロック・ロック解除するための機構として、筐体とリールの中央に指で抑えスライドさせるロック方向にバネ１０で常に押されているストッパー９が設けられた付勢巻取り式携帯補助具の発明が開示されている。
（３）  特許文献３（特開２００６−５５６２７号公報）の図５１に、首掛けループを形成してなる一対の吊り紐（ロープ）を通し、その一対の吊り紐を付勢挟持してロックするロック機構を有し且つ指で摘みロック解除の内駒を押し込んでロックを解除し上下に移動自在とした移動係留体と、この移動係留体に四角形枠形態の掛け手段を下げ、その掛け手段に携帯電話を吊り下げ、移動係留体から下方にでた一対の吊り紐を掛け手段の中を通して携帯電話の裏に出すようにしてなる携帯品等の下げ具の発明が開示されている。
【０００３】
【特許文献１】実用新案登録第３０７０７８９号公報
【特許文献２】特開平９−２９９１２８号公報
【特許文献３】特開２００６−５５６２７号公報
【非特許文献１】特になし
【発明の開示】
【発明が解決しようとする課題】
【０００４】
上述した従来技術は、筐体とリールの中央にロック解除操作部が設けられ、筐体の下部に細紐からなる携帯電話やカメラなどの携帯品を取り付けるループ細紐を有する形態であるので、付勢巻取り手段全体が携帯品の上方に位置するものであため次に述べるような欠点を有するものであった。
（１）  特許文献１、２の発明は、片手で自在に上げ下げができるのであるが、ネックストラップ形態での使用では、付勢巻取り式携帯補助具が非常に目立ってしまう、携帯品の最大上げ位置が付勢巻取り式携帯補助具本体とループ細紐の分だけ下方になってしまう、すなわち首根っこからかなり下方（どんなに上げてもみぞおち当り）にしか上げられない、そのため携帯品の振れが大きくなってしまうという欠点を有するものであった。
（２）  特許文献１、２の発明は、筐体を大きくしてリールのリール紐の巻取り量を多くすることによって、リール紐の引き出し量を例えば携帯電話を持った腕を延ばしきって携帯電話をかざすことができるようにすることが考えられるが、リール及び筐体が大きくなりすぎて異様に目立ってしまうという欠点を有するものであった。
（３）  特許文献１、２の発明は、ズボンの腰ベルトやベルト通しやバックのベルトにリールから引き出されたリール紐を潜らせ取り付け携行する場合には次のような欠点を有するものであった。
｛１｝  取り付けた携帯電話をズボンのポケットに入れて携行する場合には携帯電話とリールはループ細紐によって繋がれた携帯電話がリールとは離れたブラブラ状態にあるので、片手で携帯電話とリールを同時に一体的に掴むことができず、したがって携帯電話を操作する際には左手で携帯電話を持ち右手でリールを摘みロック解除操作部を押して携帯電話を引き上げ（リール紐を引き出す）るという、両手を使わなければならない（片手では操作できない）という欠点を有するものであった。
｛２｝  携帯電話とリールはループ細紐によって繋がれた少なくとも４ｃｍ以上は離れた形態であり、それにリールの長さが加わって９ｃｍ程度は携帯電話がベルトから離れた形態であるので、その分だけ携帯電話のポケットへの収納位置を好適なものにできない（特にジーパンなどのポケットが上方にあるもの）という欠点を有するものである
｛３｝  携帯電話を腰に単なる吊り状態で携行した場合、ベルトなどの吊り部分からリール＋ループ細紐という少なくとも９ｃｍ程度の吊り部分で携帯電話などの携帯品を吊り下げる状態となるので、携帯電話が歩行動作ごとなどに大きく振れてしまって携行性がとても悪い、常に携帯電話をループ細紐で吊り下げ振れ擦れ状態にあるので、ループ細紐が早期に擦れ傷んでしまうという欠点を有するものであった。
手提げないし肩掛けバックのベルトに下げ携行する場合も、上記と同じように９ｃｍ程度の吊り部分で携帯電話などの携帯品が大きく振れて不具合であるという欠点を有するものであった。
（４）  特許文献３の発明は、首根っこに近接する位置まで携帯電話を上げ係留して振れの小さな携行を実現するものであるが、上に上げるには吊り紐の下方を一方の手で摘み、他方の手で移動係留体を摘み内駒を押し込んでロックを解除して操作しなければならず、片手で上下移動操作を行なえないという欠点を有するものであった。
また、吊り紐が携帯電話の下方に垂れてしまうという欠点を有するものであった。
また、ズボンの腰や腰ベルト、バックのベルトにループ紐を巻き通し掛けた状態で吊っての使用では、両手で上げ下げ操作を行なわなくてはならない、スムーズな操作ができない、吊り紐が長く垂れてしまうという欠点を有するものであった。
【０００５】
本発明は以上のような従来技術の欠点に鑑みてなされたものであって、
（１）  付勢巻取り式携帯補助具を目立たなくするとともに、吊り下げた携帯品を首根っこに近接する高いところまで上げ係留でき且つ携帯品の上下移動が自在に行なえ好みの位置に係留することができる付勢巻取り式携帯補助具を提供することを目的としている。
（２）  本発明の他の目的は、携帯電話を腰ベルトなどの腰部分に吊り該携帯電話をズボンのポケットに入れて携行する場合には、携帯電話の吊り位置をポケットの好適な位置に調節して止め携行でき且つ片手で携帯電話を持ち耳元まで引き上げ止め通話や操作が行なえることを可能とし、腰ベルトやバックのベルトなどに単に吊りフリー状態で携行する場合は、吊っているベルトと携帯電話との距離が３ｃｍ程度と短く振れ支点がベルトと該ベルトにまわし掛けたリール紐のみとなって小さい振れを実現し且つ片手で携帯電話を持ち耳元まで引き上げ止め通話や操作が行なえることを可能とする付勢巻取り式携帯補助具を提供することを目的としている。
（３）  本発明の他の目的は前記（１）と（２）の目的を実現する付勢巻取り式携帯補助具を提供することを目的としている。
【０００６】
本発明の前記ならびのそのほかの目的と新規な特徴は次の説明を添付図面と照らし合わせて読むと、より完全に明らかになるであろう。ただし、図面はもっぱら解説のためであって、本発明の技術的範囲を限定するものではない。
【課題を解決するための手段】
【０００７】
上記目的を達成するために本発明は次に述べるような構成となっている。
（請求項１記載の発明）
前部に携帯電話、カメラ、音楽プレーヤー、携帯ラジオ・テレビ、携帯ＧＰＳ、ＩＣカード、カードケースなどの携帯品を取り付けるあるいは収納するための手段であるフック面ファスナー、左右に設けた携帯電話を取り付けるためのフランジ、指で挟み押さえ緩め操作で対抗横可動するように設けた一対のフック部、カード収納部本体あるいはカードを収納するカードケースを有するとともに、上部に引出し口を設け内部に発条固定軸を設けてなる筐体と、この筐体に取り付けられたあるいは収納された携帯品の後ろに位置する該筐体内に設けられた、前記発条固定軸に固定された発条の付勢力により付勢巻取り回転するリールと、このリールに付勢巻取状態で前記筐体の前記引き出し口から外に引き出されるリール紐と、前記リールの上方に形成された前記筐体の一部である空間部と、前記リールよりも上方である前記空間部に設けられた、前記リールの付勢巻取り回転のロックとロック解除が、前記リール紐の挟みロックと該挟みロックの解除によりなされるロック機構部と、親指を前記筐体の裏側に当て該筐体の表側から人差し指を当てての摘み押し込み操作により可動されて、前記リールのロック状態を解除する前記ロック機構部の一部である、前記リール紐の前記挟みロックを実現させている押し出し付勢力に抗して指で押え込む押さえ込みボタンであるロック解除操作部と、前記リールおよび前記筐体側に収納あるいは取り付けられた携帯品よりも上方である、前記筐体の前記空間部を形成する部位に設けられた前記ロック解除操作部を指で押し込むことができるようにするための前記ロック機構部の一部である開口部とからなることを特徴とする付勢巻取り式携帯補助具である。
（請求項２記載の発明）
請求項１記載の発明の構成において、ロック操作解除部の左右に突出するようにロック部が設けられ、リール紐は左リール紐と右リール紐からなり、引き出し口が開口部の側部線上から左右外側に外れる間隔をあけて設けられ、前記左リール紐と右リール紐は前記左右のロック部によりロックされるようになっていて、リールの付勢巻取り回転のロックとロック解除が、前記左リール紐と右リール紐の前記左右のロック部の挟みロックと該挟みロックの解除によりなされるものであることを特徴とする付勢巻き取り式携帯補助具である。
（付記）
（付記１の発明）
筐体と、この筐体に設けられた発条などの付勢力により付勢巻取り回転するリールと、このリールに付勢巻取状態で前記筐体外に引き出されるリール紐と、前記リールの上方に設けられた前記リールの付勢巻取り回転をロックするロック機構部と、
前記リールのロック状態を解除する前記ロック機構部の一部であるロック解除操作部とからなることを特徴とする付勢巻取り式携帯補助具である。
「リール」とは、紐（リール紐）を巻き取る手段を意味し、フランジの無い巻取り軸のみのもの、巻取り軸と一体的に回転する一対ないし１つのフランジを有するものなど多様な巻取り形態を技術的範疇に含むものである。
「筐体」とは、リールを被うケース体形態のもの、フランジの無い巻取り軸のみの場合において、巻取り軸を回転可能に軸受けする一対の回転しない側部の大半が開口した壁形態のものなどを技術的範疇に含むものである。
（付記２の発明）
付記１記載の発明の構成において、リール紐が適当な間隔をあけて設けられた左引出し口、右引出し口から引き出される左リール紐、右リール紐の一対のリール紐であることを特徴とする付勢巻取り式携帯補助具である。
（付記３の発明）
付記１、２いずれか記載の発明の構成において、ロック解除操作部が押し出し付勢力に抗して指で押え込む押さえ込みボタンであるとともに、筐体と前記押さえ込みボタンを主に親指と人差し指で摘み押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする付勢巻取り式携帯補助具である。
「リールのロック」は、リール紐を挟持状態、噛み状態等によりロックしてリールもロックする形態、リールそのものに直接当てる嵌めるなどによりロックする形態などがある。
（付記４の発明）
付記１〜３いずれか記載の発明の構成において、携帯電話などの携帯品の裏側に筐体のリールを有する部位を位置させ且つロック解除操作部を前記携帯品の外上方に位置するように取り付けるための取付部を前記筐体に設けてなることを特徴とする付勢巻取り式携帯補助具である。
「取付部」には、着脱自在に嵌合する形態、面ファスナーにより着脱自在に係着する形態、接着で固定する粘着剤、ネジの締め付けで固定するためのネジネジ通し穴など多様な形態がある。
（付記５の発明）
付記１〜４いずれか記載の発明の構成において、筐体の裏側に面ファスナーまたはクリップを設けてなることを特徴とする付勢巻取り式携帯補助具である。
（付記６の発明）
携帯電話や携帯音楽プレイヤーや携帯テレビ・ラジオ・携帯カメラ、ＩＣカード、携帯ケースなどの携帯品本体と、この携帯品本体に設けられた発条などの付勢力により付勢巻取り回転するリールと、このリールに付勢巻取状態で前記携帯品本体外に引き出される一対のリール紐と、この一対のリール紐で形成されるあるいは該一対のリール紐と他の部材によって形成される首掛けループ部と、前記携帯品本体を首から吊り下げた状態で見て該携帯品本体の上部あるいは上部に突出して設けられた前記リールの付勢巻取り回転をロックするロック機構部と、前記リールのロック状態を解除する前記ロック機構部の一部であるロック解除操作部とからなることを特徴とする携帯補助具付き携帯品である。
（付記７の発明）
付記６記載の発明の構成において、ロック解除操作部が押し出し付勢力に抗して指で押え込む押さえ込みボタンであるとともに、前記押さえ込みボタンを主に人差し指で押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする携帯補助具付き携帯品である。
（付記８の発明）
筐体と、この筐体に設けられた発条などの付勢力により付勢巻取り回転するリールと、このリールに付勢巻取状態で前記筐体外に引き出される一対のリール紐を形成する第１のリール紐、第２のリール紐と、前記第１のリール紐の端に設けられた第１のリール紐側着脱パーツと、前記第２のリール紐の端に設けられた前記第１のリール紐側着脱パーツと連結できる第２のリール紐側着脱パーツと、首に掛ける平紐と、この平紐の一方の端に設けられた前記第１のリール紐側着脱パーツに連結できる第１の平紐側着脱パーツと、前記平紐の他方の端に設けられた前記第２のリール紐側着脱パーツに連結できる第２の平紐側着脱パーツとからなることを特徴とする付勢巻取り式携帯補助具である。
（付記９の発明）
付記１〜６いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とする付勢巻取り式携帯補助具である。
（付記１０の発明）
付記７、８いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とする携帯補助具付き携帯品である。
【発明の効果】
【０００８】
以上の説明から明らかなように、本発明にあっては次に列挙する効果が得られる。
筐体と、この筐体に設けられた発条などの付勢力により付勢巻取り回転するリールと、このリールに付勢巻取状態で前記筐体外に引き出されるリール紐と、前記リールよりも上方に設けられた前記リールの付勢巻取り回転をロックするロック機構部と、親指を前記筐体の裏側に当て該筐体の表側から人差し指を当てての摘み押し込み操作により可動されて、前記リールのロック状態を解除する前記ロック機構部の一部であるロック解除操作部と、前記リールよりも上方である前記筐体の上方に設けられた前記ロック解除操作部を指で押し込むことができるようにするための開口部と、からなることを特徴とする付勢巻取り式携帯補助具であるので、
リールを有する筐体部分を携帯電話の裏側に位置するように係止手段で係止したり粘着剤などで固定したり面ファスナーなどの取付手段（取付部）で取付するとともに、ロック解除操作部は携帯電話の外の上方に位置させた取付形態を実現することができる。
これにより、
（１）  取り付けた携帯電話等の携帯品の上げ下げを片手のみで移動させ好みの位置でロック係留を行なうことを可能にできとともに、携帯電話の上方に近接されたロック解除操作部が一体化された形態を実現するので、例えば：首掛けループタイプでは携帯電話を首根っこに近接する部位まで上げることができ、且つ、より振れの小さい携行を可能にするという効果を奏する。
（２）  付勢巻取り式携帯補助具の殆どの部位は携帯電話の裏側に隠れているので、付勢巻取り式携帯補助具が目立つことの無い携行を実現するという効果を奏する。
（３）  携帯電話やカードケース等の携帯品の裏側に筐体を隠す形態を実現するものであるので、携帯電話に隠れる目立たない範囲（はみ出る形態を技術的範疇外とするものではなく、はみ出る形態も技術的範疇にふくまれるものである。）で筐体およびリールを従来のものより遥かに大きいものにできる。すなわち、平紐形状のリール紐を重ね巻取り形態としたものでも、持った手を略のばしきって携帯電話をかざすことを、付勢巻取り式携帯補助具が目立たない形態で実現できるという効果を奏する。
また、リール紐がループ形態では腰ベルトにループ形態のリール紐をまき掛けて腰に携帯電話を吊り状態にした状態で、携帯電話を耳元まで余裕で引き上げ持ってくることができるリール紐の長さを実現することができる。
（４）  腰ベルトやバックのベルトにループ形態のリール紐をまき掛けて携帯電話を吊り状態にした携行では次のような効果を奏する。（一歩のリール紐でも先端にクリップ、玉、面ファスナーバンドを設ける、縛るなどにより同様な効果を得ることができる。）
｛１｝  ズボンのポケットに携帯電話を収納携行する場合は、携帯電話と該携帯電話の上方に位置したロック解除操作部が一体形態であるので腰ベルトと携帯電話の距離は３ｃｍ程度短い形態を実現し、ズボンポケットの好適な位置に携帯電話を吊り状態で留置く（係留）ことができるという効果を奏する。
例えば：従来技術ではジーパンなどのポケットが上方にある場合には、ポケットの奥深く携帯電話が入ってしまい、取り出し難い、座ったときなどに携帯電話に無理な力がかかって故障を起しやすい、それを避けるために携帯電話をポケットから出して吊り状態で座った場合は吊り下げ状態が長いために（リール＋ループ細紐という少なくとも９ｃｍ程度の吊り、腰ベルトから携帯電話の下部までの距離は略２０ｃｍくらいである。）不具合を強く感じるなどの問題を持つものであった。
これに対して、本願発明ではポケットから半分は外に出しての携行を可能とし、取り出しやすい、半分出た状態で座ったときなどに無理な力が加わった場合はポケットから携帯電話が押し出されて外に吊り状態になりやすく、吊り状態となっても上げて腰ベルトから携帯電話の下部までの長さは１２ｃｍ程度と短く且つ振れる支点が腰ベルトやベルト通し部と掛けたリール紐のみであるので振れが大変小さく、不具合を感じさせない軽快さを感じさせる携行を実現するものである。
また、携帯電話とロック解除操作部が一体形態となっているので、片手で携帯電話をその指でロック解除操作部を操作したまま持ち耳元まで携帯電話を引き上げロックして止め通話や操作が行なえることを可能とするという効果を奏する。
｛２｝  腰ベルト（ベルト通し部を含む）やバックのベルトにループ形態のリール紐をまき掛けて携帯電話を外に単に吊り状態（ブラブラ状態）にした携行では、ベルトと携帯電話との距離が３ｃｍ程度と短く振れ支点がベルトと該ベルトにまわし掛けたリール紐のみとなって小さい振れを実現し、且つ、携帯電話とロック解除操作部が一体形態となっているので、片手で携帯電話をその指でロック解除操作部を操作したまま持ち耳元まで携帯電話を引き上げロックして止め通話や操作が行なえることを可能とするという効果を奏する。
（５）  本発明は、特許文献１、２の有する片手で上下に自在に移動できるという利点と、特許文献３の首根っこに近接する位置まで上げ係留して振れの小さい携行ができるという利点の両方を実現するとともに、特許文献１、２の首根っこに近接する位置まで携帯電話を上げ係留できないという欠点と、特許文献３の片手で上下操作ができない、吊り紐が携帯電話の下方に垂れるという欠点を解決するという効果を奏するものである。
（付記）
（付記１の発明の効果）
筐体と、この筐体に設けられた発条などの付勢力により付勢巻取り回転するリールと、このリールに付勢巻取状態で前記筐体外に引き出されるリール紐と、前記リールの上方に設けられた前記リールの付勢巻取り回転をロックするロック機構部と、前記リールのロック状態を解除する前記ロック機構部の一部であるロック解除操作部とからなることを特徴とする付勢巻取り式携帯補助具であるので、
リールを有する筐体部分を携帯電話の裏側に位置するように係止手段で係止したり粘着剤などで固定したり面ファスナーなどの取付手段（取付部）で取付するとともに、ロック解除操作部は携帯電話の外の上方に位置させた取付形態を実現することができる。
これにより、
（１）  取り付けた携帯電話等の携帯品の上げ下げを片手のみで移動させ好みの位置でロック係留を行なうことを可能にできとともに、携帯電話の上方に近接されたロック解除操作部が一体化された形態を実現するので、例えば：首掛けループタイプでは携帯電話を首根っこに近接する部位まで上げることができ、且つ、より振れの小さい携行を可能にするという効果を奏する。
（２）  付勢巻取り式携帯補助具の殆どの部位は携帯電話の裏側に隠れているので、付勢巻取り式携帯補助具が目立つことの無い携行を実現するという効果を奏する。
（３）  携帯電話やカードケース等の携帯品の裏側に筐体を隠す形態を実現するものであるので、携帯電話に隠れる目立たない範囲（はみ出る形態を技術的範疇外とするものではなく、はみ出る形態も技術的範疇にふくまれるものである。）で筐体およびリールを従来のものより遥かに大きいものにできる。すなわち、平紐形状のリール紐を重ね巻取り形態としたものでも、持った手を略のばしきって携帯電話をかざすことを、付勢巻取り式携帯補助具が目立たない形態で実現できるという効果を奏する。
また、リール紐がループ形態では腰ベルトにループ形態のリール紐をまき掛けて腰に携帯電話を吊り状態にした状態で、携帯電話を耳元まで余裕で引き上げ持ってくることができるリール紐の長さを実現することができる。
（４）  腰ベルトやバックのベルトにループ形態のリール紐をまき掛けて携帯電話を吊り状態にした携行では次のような効果を奏する。（一歩のリール紐でも先端にクリップ、玉、面ファスナーバンドを設ける、縛るなどにより同様な効果を得ることができる。）
｛１｝  ズボンのポケットに携帯電話を収納携行する場合は、携帯電話と該携帯電話の上方に位置したロック解除操作部が一体形態であるので腰ベルトと携帯電話の距離は３ｃｍ程度短い形態を実現し、ズボンポケットの好適な位置に携帯電話を吊り状態で留置く（係留）ことができるという効果を奏する。
例えば：従来技術ではジーパンなどのポケットが上方にある場合には、ポケットの奥深く携帯電話が入ってしまい、取り出し難い、座ったときなどに携帯電話に無理な力がかかって故障を起しやすい、それを避けるために携帯電話をポケットから出して吊り状態で座った場合は吊り下げ状態が長いために（リール＋ループ細紐という少なくとも９ｃｍ程度の吊り、腰ベルトから携帯電話の下部までの距離は略２０ｃｍくらいである。）不具合を強く感じるなどの問題を持つものであった。
これに対して、本願発明ではポケットから半分は外に出しての携行を可能とし、取り出しやすい、半分出た状態で座ったときなどに無理な力が加わった場合はポケットから携帯電話が押し出されて外に吊り状態になりやすく、吊り状態となっても上げて腰ベルトから携帯電話の下部までの長さは１２ｃｍ程度と短く且つ振れる支点が腰ベルトやベルト通し部と掛けたリール紐のみであるので振れが大変小さく、不具合を感じさせない軽快さを感じさせる携行を実現するものである。
また、携帯電話とロック解除操作部が一体形態となっているので、片手で携帯電話をその指でロック解除操作部を操作したまま持ち耳元まで携帯電話を引き上げロックして止め通話や操作が行なえることを可能とするという効果を奏する。
｛２｝  腰ベルト（ベルト通し部を含む）やバックのベルトにループ形態のリール紐をまき掛けて携帯電話を外に単に吊り状態（ブラブラ状態）にした携行では、ベルトと携帯電話との距離が３ｃｍ程度と短く振れ支点がベルトと該ベルトにまわし掛けたリール紐のみとなって小さい振れを実現し、且つ、携帯電話とロック解除操作部が一体形態となっているので、片手で携帯電話をその指でロック解除操作部を操作したまま持ち耳元まで携帯電話を引き上げロックして止め通話や操作が行なえることを可能とするという効果を奏する。
（５）  本発明は、引用文献１、２の有する片手で上下に自在に移動できるという利点と、引用文献３の首根っこに近接する位置まで上げ係留して振れの小さい携行ができるという利点の両方を実現するとともに、引用文献１、２の首根っこに近接する位置まで携帯電話を上げ係留できないという欠点と、引用文献３の片手で上下操作ができない、吊り紐が携帯電話の下方に垂れるという欠点を解決するという効果を奏するものである。
（付記２の発明の効果）
付記１記載の発明の構成において、リール紐が適当な間隔をあけて設けられた左引出し口、右引出し口から引き出される左リール紐、右リール紐の一対のリール紐であることを特徴とする付勢巻取り式携帯補助具であるので、
付記１記載の発明の効果に加えて、首に掛けるネックストラップ形態を実現するという効果を奏する。
（付記３の発明の効果）
付記１、２いずれか記載の発明の構成において、ロック解除操作部が押し出し付勢力に抗して指で押え込む押さえ込みボタンであるとともに、筐体と前記押さえ込みボタンを主に親指と人差し指で摘み押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする付勢巻取り式携帯補助具であるので、
付記１、２いずれか記載の発明の効果に加えて、「ボタンの摘み押えと離し」という簡単な操作によりリールのロック解除およびロックができるので、片手のみの操作で上下移動操作および好みの位置への係留が素早く軽快に行なえるので操作性が大変良いという効果を奏する。
（付記４の発明の効果）
付記１〜３いずれか記載の発明の構成において、携帯電話などの携帯品の裏側に筐体のリールを有する部位を位置させ且つロック解除操作部を前記携帯品の外上方に位置するように取り付けるための取付部を前記筐体に設けてなることを特徴とする付勢巻取り式携帯補助具であるので、
付記１〜３いずれか記載の発明の効果に加えて、ロック解除操作部部分以外の付勢巻取り式携帯補助具の殆どの部分を携帯電話の裏側に係止ないし固定が行なえるという効果を奏する。
（付記５の発明の効果）
付記１〜４いずれか記載の発明の構成において、筐体の裏側に面ファスナーまたはクリップを設けてなることを特徴とする付勢巻取り式携帯補助具であるので、
付記１〜４いずれか記載の発明の効果に加えて、面ファスナーなら着衣の側に設けた面ファスナーに係着することにより、クリップならワイシャツの前立て部位を挟持して、下方に吊り位置させた携帯電話が全く振れない携行と、携帯電話の荷重を着衣に掛けることにより首に掛けた首掛け部位（ループ）による首への負荷を大幅に軽減ないし殆ど皆無にした携行を可能とするという効果を奏する。
（付記６の発明の効果）
携帯電話や携帯音楽プレイヤーや携帯テレビ・ラジオ・携帯カメラ、ＩＣカード、携帯ケースなどの携帯品本体と、この携帯品本体に設けられた発条などの付勢力により付勢巻取り回転するリールと、このリールに付勢巻取状態で前記携帯品本体外に引き出される一対のリール紐と、この一対のリール紐で形成されるあるいは該一対のリール紐と他の部材によって形成される首掛けループ部と、前記携帯品本体を首から吊り下げた状態で見て該携帯品本体の上部あるいは上部に突出して設けられた前記リールの付勢巻取り回転をロックするロック機構部と、前記リールのロック状態を解除する前記ロック機構部の一部であるロック解除操作部とからなることを特徴とする携帯補助具付き携帯品であるので、
付記１記載の発明と同様な効果を奏する。
（付記７の発明の効果）
付記６記載の発明の構成において、ロック解除操作部が押し出し付勢力に抗して指で押え込む押さえ込みボタンであるとともに、前記押さえ込みボタンを人差し指で押し込み状態にすると、リールのロック状態が解除されてリール紐の自動巻取り引き込みと強制引出しが自在に行なえ、前記押さえ込みボタンを解放すると前記押し出し付勢力により該押さえ込みボタンは押し出し移動をして前記リールの回転をロック状態にすることを特徴とする携帯補助具付き携帯品であるので、
付記３記載の発明と同様な効果を奏する。
（付記８の発明の効果）
筐体と、この筐体に設けられた発条などの付勢力により付勢巻取り回転するリールと、このリールに付勢巻取状態で前記筐体外に引き出される一対のリール紐を形成する第１のリール紐、第２のリール紐と、前記第１のリール紐の端に設けられた第１のリール紐側着脱パーツと、前記第２のリール紐の端に設けられた前記第１のリール紐側着脱パーツと連結できる第２のリール紐側着脱パーツと、首に掛ける平紐と、この平紐の一方の端に設けられた前記第１のリール紐側着脱パーツに連結できる第１の平紐側着脱パーツと、前記平紐の他方の端に設けられた前記第２のリール紐側着脱パーツに連結できる第２の平紐側着脱パーツとからなることを特徴とする付勢巻取り式携帯補助具であるので、
平紐を取り付けて首掛けループを形成して首に掛け下げての平紐による当りの弱い首に優しい携行を実現するとともに、平紐を外して、第１のリール紐と第２の右リール紐連結してループを形成して、ズボンの腰ベルトやバンド通し部、バックのベルトにループをまわし通し掛けて状態として携帯電話等を吊り携行することができるという、２つの携行形態を実現するとういう効果を奏する。
また、リール紐を全部リールに巻取り収納した状態においては、第１のリール紐と第２のリール紐を連結したループ状態とすることにより、着脱パーツが立たない見た目の良い形態を実現するという効果を奏する。
（付記９の発明の効果）
付記１〜６いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とする付勢巻取り式携帯補助具であるので、
付記１〜６いずれか記載の発明の効果に加えて付記８記載の効果を加えた効果を奏する。
（付記１０記載の発明の効果）
付記７、８いずれか記載の発明において、リール紐がリールに付勢巻取状態で前記筐体外に引き出される一対のリール紐を形成する第１のリール紐、第２のリール紐であり、前記第１のリール紐の端に第１のリール紐側着脱パーツを設け、前記第２のリール紐の端に前記第１のリール紐側着脱パーツと連結できる第２のリール紐側着脱パーツを設け、首に掛ける平紐を設け、この平紐の一方の端に前記第１のリール紐側着脱パーツに連結できる第１の平紐側着脱パーツを設け、前記平紐の他方の端に前記第２のリール紐側着脱パーツに連結できる第２の平紐側着脱パーツを設けてなることを特徴とする携帯補助具付き携帯品であるので、
付記７、８いずれか記載の発明の効果に加えて付記８記載の効果を加えた効果を奏する。
【発明を実施するための最良の形態】
【０００９】
以下、図面に示す発明を実施するための最良の形態により、本発明を詳細に説明する。但し、本願発明をそれらにのみに限定するものではない。また、実施の形態の説明にあたって同一構成部分には同じ符号を付与しその説明を省略する。
【００１０】
＜第１の実施の形態＞
図１〜図３に示す本発明を実施するための最良の第1の実施の形態において１は付勢巻取り式携帯補助具であって、この付勢巻取り式携帯補助具は１は長方形の筐体２と、この筐体２の内部に設けられた付勢巻取り機構部３と、この付勢巻取り機構部３から筐体２外に引き出された左リール紐４ａ、右リール紐４ｂの一対のリール紐で外側でループを形成するループ紐４と、付勢巻取り機構部３の上方に設けられた付勢巻取り機構部３の付勢回転を左リール紐４ａ、右リール紐４ｂを付勢挟持（噛み挟持）してロック状態とし且つ摘んだ指で押え押し込んでロック状態を解除する押し込みボタン形態のロック解除操作部５を筐体２の外に突出させたロック機構部６とからなっている。
【００１１】
付勢巻取り機構部３は、外周を歯車形態にした左リール８と、外周を歯車形態にした右リール９と、左リール８と右リール９の間に設けられた該左リール８と該右リール９の歯車に噛み合う歯車を外周に有する内部に巻取り付勢力である発条１０を内設した付勢回転体１１とからなっている。
左リール８は筐体２に一体的に形成されたリール軸１２に回転フリーに軸支され、右リール９は筐体２に一体的に形成されたリール軸１３に回転フリーに軸支され、付勢回転体１１の発条１０の内側先端は筐体２に一体的に形成された発条固定軸１４に固定され、発条１０の外側先端は付勢回転体１１に固定され、付勢回転体１１は発条固定軸１４に回転可能に軸支されている。
【００１２】
ロック機構部６は、横長の頭部１７、該頭部１７と同形状のロック部１８、頭部１７とロック部１８の間の左右に設けられた空間からなる左リール紐４ａ、右リール紐４ｂを通す紐通し部１９、中央に設けられた圧縮コイルバネ２０を入れるためのコイル入れ部２１とからなる横長の押しボタン形態であるロック解除操作部５と、筐体２内にセットしたロック解除操作部５の頭部１７の一部を筐体２外に露出させる筐体２の表面上方（右リール９の上方）に設けられた開口部２２と、筐体２の上部に離して設けられた紐通し部１９を通された左リール紐４ａを筐体２の外に引き出するための左引出し口２３、右リール紐４ｂを引き出するための右引出し口２４と、開口部２２の直ぐ下方に設けられた筐体２と一体成形により設けられた紐通し口形成体２５と、この紐通し口形成体２５の左右に設けられた紐通し部１９を通す左リール紐４ａを通す左リール紐通し口２６、右リール紐４ｂを通す右リール紐通し口２７とからなっている。
ロック解除操作部５はフリー状態では圧縮コイルバネ２０の押し出し付勢力により押し出し付勢状態にあって、この押し出し付勢状態では左リール紐４ａ、右リール紐４ｂはロック部１８と左引出し口２３、右引出し口２４、左リール紐通し口２６、右リール紐通し口２７に挟み付けられたロック状態となっていて、左リール８、右リール９および付勢回転体１１の回転もロック状態となっている。
親指を筐体２の裏側に当て人差し指をロック解除操作部５に当て摘み状態として、ロック解除操作部５を押し込むとロック部１８は後に移動してリール紐のロック状態が解除され、ロック解除操作部５を押し込み摘んだままの状態で上下に自在に移動させることができる。下げるときは発条１０の巻取り付勢力に抗して、上げるときは発条１０および付勢回転体１１による左リール８と右リール９の付勢回転による巻き込みによって、上下移動が素早く軽快に行なえる。
ロック解除操作部５の押し込みを止めると圧縮コイルバネ２０の付勢力によりロック部１８が前方に移動して左引出し口２３、右引出し口２４、左リール紐通し口２６、右リール紐通し口２７に挟み付けられたロック状態とし、好みの位置で止め係留状態とすることができる。
ロック部１８と左引出し口２３、右引出し口２４、左リール紐通し口２６、右リール紐通し口２７との間の隙間はリール紐の太さよりも狭くなっており、できる限る近接しているのが良い。
【００１３】
筐体２の左引出し口２３、右引出し口２４の直ぐ内側には紐受突起２８、２９が設けられ、ループ紐４が目いっぱい巻き込まれた状態で筐体２との間に指でループ紐４を摘み易くするための隙間が形成されるようになっている。
ループ紐４を目いっぱいに巻き取った状態において、筐体２の外で例えばハンドストラップとなるループを描くようにするのもよい。この場合、紐受突起２８、２９は必要がない。
筐体２の表部には携帯電話Ｋの裏側に設けたループ面ファスナー３０に係着させるフック面ファスナー３１が設けられ、筐体２の裏部にはループ面ファスナー３２が設けられている。
筐体２の下部には、携帯電話Ｋに取り付けた細吊り紐３３の丸環３４を取り付けるための紐掛け部３５が設けられ、付勢巻取り式携帯補助具１に取り付けた携帯電話Ｋが外れても紐掛け部３５によって地面への落下が阻止されるようになっている。
筐体２内部には左リール紐４ａ、右リール紐４ｂを案内する紐案内コロ３６ａ、３６ｂ、３６ｃが適宜設けられている。
付勢巻取り機構部３の筐体部位に対してロック機構部６の筐体部位は、ロック機構部６が前方に突出した厚みのある形態となっていて、その段差が顎部３７となって携帯電話Ｋを取り付ける際の当て部（位置決め部）としての役割をはたすようになっている。また、ロック機構部６を厚みのある前後に中空距離の長い形態としたことにより、ロック機構部６を形成しやすくするとともに、携帯電話Ｋの裏側にセットされる付勢巻取り機構部３側を薄い形態にできる。
左リール８、右リール９、付勢回転体１１の並べ順は付勢回転体１１が一番上でも一番下でも、左リール８、右リール９のいずれが上方に位置してもかまわず、また横並びとしても横長のカードケースやＩＣカードなどではよいなど多様な並び形態がある。
ループ面ファスナー３２に変えてクリップを設けるのも良い。クリップは向きを立て横に変えることができるものがよい。
【００１４】
付勢巻取り式携帯補助具１を携帯電話やカードケースなどに接着剤やネジで一体化してなる携帯補助具付き携帯品を形成するのもよい。
付勢巻取り式携帯補助具１の付勢巻取り機構部３およびロック機構部６を携帯電話などの携帯品に内設してなる携帯補助具付き携帯品を形成するのもよい。
筐体にカードケースを一体成形により設けてなる携帯補助具付き携帯品を形成するのもよい。
以下に述べる付勢巻取り式携帯補助具の実施の形態においては、上記のようにすることにより携帯補助具付き携帯品を形成する携帯補助具付き携帯品を形成することを実施の形態の１つとするものであり、以下においてはその説明を省略する。
【００１５】
＜第２の実施の形態＞
図４、図５に示す本発明を実施するための最良の第２の実施の形態において４０は付勢巻取り式携帯補助具であって、この付勢巻取り式携帯補助具４０は筐体４１と、この筐体４１の内部に設けられた付勢巻取り機構部４２と、この付勢巻取り機構部４２から筐体４１外に引き出された左リール紐４ａ、右リール紐４ｂと、付勢巻取り機構部４２の上方に設けられた付勢巻取り機構部４２の付勢回転をロック状態とし且つ摘んだ指で押え押し込んでロック状態を解除する押し込みボタン形態のロック解除操作部４３を筐体４１の外に開口部３９から露出させたロック機構部４４とからなっている。
【００１６】
付勢巻取り機構部４２は外周を歯車形態にした左リール４５と、該左リール４５と歯車を噛み合わせた外周を歯車形態にした左リール４５と、右リール４６を付勢回転体にする該右リール４６に内設された発条１０とからなっている。
左リール４５は筐体４１に一体的に形成されたリール軸１２に回転フリーに軸支され、右リール４６は筐体４１に一体的に形成された発条固定軸１４に回転可能に軸支され、発条１０の内側先端は発条固定軸１４に固定され、発条１０の外側先端は右リール４６に固定されている。
左リール４５を右リール４６と同じように発条１０を備えた構成として、２つのリールがそれぞれ付勢巻取り回転するようにするのもよい。
【００１７】
ロック機構部４４は、円形のロック解除操作部４３と、このロック解除操作部４３の左右に突出形成された回転阻止突起４７ａ、４７ｂと、ロック解除操作部４３の下部に突出設けられた右リール紐４６の歯車に噛み合わさるロック突起４８と、ロック解除操作部４３、回転阻止突起４７ａ、４７ｂが嵌る筐体４１に一体的形成されてなる操作部支持部４９と、ロック解除操作部４３の内側に入れられた該４３を押し出し付勢している圧縮コイルバネ２０とからなっている。
右リール紐４６の歯車５０は一対のフランジの前方フランジに形成されており、ロック突起４８は歯車５０のフランジの厚みより少し厚めであって、後方に移動できる空間を有している。
通常はロック解除操作部４３は圧縮コイルバネ２０により外側に押し出し付勢状態となっているので、ロック突起４８は最前方に位置されて歯車５０に噛み合い状態であるロック状態となっている。
指でロック解除操作部４３を押し込むとロック突起４８は後方に移動して歯車５０外に位置しロック解除状態となる。ロック解除操作部４３を押し込んだまま、片手のみで上下移動を素早く簡単・軽快に行なうことができる。ロック解除操作部４３の押し込みを止めるとロック状態となりその場所で係留状態となる。
【００１８】
筐体４１の左右には筐体４１の表面を同じにしてなるフランジ５１ａ、５１ｂが設けられている。
携帯電話Ｋの裏側には、フランジ５１ａ、５１ｂを下方から嵌め込む携行補助具取付部５２ａ、５２ｂが設けられている。
筐体４１の外に出されている左リール紐４ａ（第１のリール紐）の先端には２ｋｇ以上の引張りがあると外れる着脱パーツ５３の雄パーツ５５（第１のリール紐側着脱パーツ）が取り付けられ、右リール紐４ｂ（第２のリール紐）の先端には着脱パーツ５３の雌パーツ５６（第２のリール紐側着脱パーツ）が取り付けられていて、一方の端に着脱パーツ５３の雌パーツ５６（第１の平紐側着脱パーツ）を取り付け他方の端に着脱パーツ５３の雄パーツ５５（第２の平紐側着脱パーツ）を取り付けてなる１０ｍｍ〜１５ｍｍ幅の平紐５４が連結され、首掛けループ５７を形成している。
平紐５４を取り付けて首掛けループ５７を形成して首に掛け下げての平紐による当りの弱い首に優しい携行を実現するとともに、平紐５４を外して、左リール紐４ａの雄パーツ５５と右リール紐４ｂの雌パーツ５６を連結してループを形成して、ズボンの腰ベルトやバンド通し部、バックのベルトにループをまわし通し掛けて状態として携帯電話等を吊り携行するときに、吊りの短く振れの小さい携行を実現し吊り紐が邪魔にならない携行という、２つの携行形態を実現するとういう効果を奏する。
また、リール紐を全部リールに巻取り収納した状態においては、左リール紐と右リール紐を連結したループ状態とすることにより、着脱パーツ５３が立たない見た目の良い形態を実現するという効果を奏する。
平紐５４はソフトゴム平紐とするのがクッション性の優しく負荷の感じ方が優しいものとできるのでよい。
着脱パーツはリングと丸環（開口が開閉する）などの他のパーツによるものも技術的範疇に含まれるものである。
左リール４５と右リール４６は横並びとする形態もよい。
筐体４１を携帯電話のバッテリカバーとするのもよい。この場合は携帯補助具付き携帯品を形成する。
【００１９】
＜第３の実施の形態＞
図６〜図８に示す本発明を実施するための最良の第３の実施の形態において６０は付勢巻取り式携帯補助具であって、付勢巻取り式携帯補助具６０は筐体６１と、この筐体６１の内部に設けられた付勢巻取り機構部６２と、この付勢巻取り機構部６２から筐体６１外に引き出された左リール紐６３ａ、右リール紐６３ｂの一対の平紐で首掛けループを形成するループ紐６４と、付勢巻取り機構部６２の上方に設けられた付勢巻取り機構部６２の付勢回転をロック状態とし且つ摘んだ指で押え押し込んでロック状態を解除する押し込みボタン形態のロック解除操作部６５を筐体６１の外に開口部６６から露出させたロック機構部６７と、筐体６１の付勢巻取り機構部６２を収納している巻取り機構筐体部６８と、筐体６１のロック機構部６７を収納してなる巻取り機構筐体部６８よりも前方に突出してなるロック機構筐体部６９と、巻取り機構筐体部６８とロック機構筐体部６９に境に形成された顎部７０と、この顎部７０から突出された携帯電話Ｋの首から吊り下げた状態で見て携帯電話本体Ｂの頂部に設けられたフック掛け穴７１に嵌合掛けるフック部７２、７２を有するフック機構部７３と、筐体６１の下部に立ち下げられた差込片７４とからなっている。
【００２０】
付勢巻取り機構部６２は、筐体６１と一体成形により設けられた発条固定軸７５に回転自在に取り付けられた一対にフランジを有するリール７６と、このリール７６に内設され内端を発条固定軸７５に固定し外端をリール７６に固定して、リール７６を付勢巻取り回転状態にする発条７７と、ループ紐６４を案内する案内コロ７８ａ、７８ｂ、７８ｃ、７８ｄとからなっている。
【００２１】
ロック機構部６７は、円形ボタン形態のロック解除操作部６５と、この円形ボタン形態のロック解除操作部６５の下部の左右に突出するように設けられた板状のロック部７９ａ、７９ｂと、ロック解除操作部６５の下方に該ロック解除操作部６５に隣接して筐体６１に固定設けられた紐通し口形成体２５と、ロック解除操作部６５に入れられ該ロック解除操作部６５を押し出し付勢状態としている圧縮コイルバネ２０とからなっている。
通常の状態では圧縮コイルバネ２０の押し出し付勢されているロック部７９ａ、７９ｂはその前部を通っているループ紐６４を押して左リール紐通し口２６、右リール紐通し口２７および左引出し口２３、右引出し口２４とであるいはいずれか一方を口とロック部とがずれることによる一種の噛み状態（挟み状態）にしてロックし、よって付勢巻取り回転を使用とするリール７６の回転がロックされ、その場所で係留状態にされる。
指で筐体６１ごと親指と人差し指でロック解除操作部６５を摘み該ロック解除操作部６５を人差し指で押し込むことにより、ロック部７９ａ、７９ｂが後方に移動してループ紐６４を該ロック部７９ａ、７９ｂが押える状態が解除される。ロック解除操作部６５を押し込んだままで、上方に移動させるとリール７６の付勢巻取り回転によりループ紐６４は自動的に巻き取られ、下方に移動させるとリール７６は巻取り付勢力に抗して送出し回転をして発条７７が巻かれる。
【００２２】
フック機構部７３は、ロック機構筐体部６９の下方内の左右に設けられた操作駒８０、８１と、操作駒８０、８１の外側部に設けられたロック機構筐体部６９の側部から外に突き出した押し込み部８２と、操作駒８０、８１の内側部に設けられた８０、８１と一体成形により形成されたスプリング８３と、操作駒８０、８１の下部に設けられた顎部７０から外に突き出したフック７２ａ、７２ｂと、スプリング８３、８３を受ける筐体６１と一体成形で設けられたスプリング受部８４とからなっている。
押し込み部８２、８２を押し込むとスプリング８３、８３に抗してフック部７２、７２は内側に移動し（携帯電話Ｋのフック掛け穴７１に出し入れできる状態）、押し込み部８２、８２の押し込みを止めるとスプリング８３、８３の押し出し付勢力によりフック部７２、７２は外側に移動しその状態（携帯電話Ｋのフック掛け穴７１のフックが掛った状態）が保持される。
携帯電話Ｋに取り付ける際には、先ず差込片７４を携帯電話Ｋの裏側に設けた片差込部８５に差し込んでからフック部７２、７２をフック掛け穴７１に嵌める。
【００２３】
＜第４の実施の形態＞
図９に示す本発明を実施するための第４の実施の形態において前記第２の実施の形態と主に異なる点は、付勢巻取り機構を右リール４６と同じものであるリール８６の１つとし、リール８６に筐体８７の外でループを形成する左リール紐８８ａと右リール紐８８ｂを重ね形態で巻き取った付勢巻取り式携帯補助具８９を形成した点にある。
ロック機構部９０、付勢巻取り機構部９１。
【００２４】
＜第５の実施の形態＞
図１０、図１１に示す本発明を実施するための第５の実施の形態において９２は付勢巻取り式携帯補助具であって、この付勢巻取り式携帯補助具９２は筐体９３と、この筐体９３に内設されたリール９４と、このリール９４の内側に設けられた該リール９４を付勢巻取り回転させる内端を筐体９３に一体的に形成された発条固定軸１４に固定し外端をリール９４に固定してなる発条１０と、リール９４に重ね巻き取りされ筐体９３の外に引き出されてループを形成している左リール紐９５ａ、右リール紐９５ｂと、この左リール紐９５ａ、右リール紐９５ｂを抑え付けて移動を止めリール９４の回転をロック・ロック解除するロック機構部９６と、筐体９３の裏側に設けられた薄平板形態のクリップ９７とからなっている。
【００２５】
ロック機構部９６は、筐体９３の上方にあけられた開口部９８から一部を外に出してなる押し込みボタン形態のロック解除操作部９９と、このロック解除操作部９９の下方の左右に突出設けられた腕支持肩部１００、１００と、この腕支持肩部１００、１００に軸支され回動自在に設けられたへの字形状の腕部１０１、１０１と、ロック解除操作部９９内に収納された該ロック解除操作部９９を押し出し付勢状態にする圧縮コイルバネ１０２とからなり、通常状態では圧縮コイルバネ１０２の押し出し付勢力によりロック解除操作部９９および軸受け肩部１００、１００も前方に位置し、これに伴って腕支持肩部１００、１００とリンク機構を形成する腕部１０１、１０１の先端は外側に付勢位置して左リール紐９５ａ、右リール紐９５ｂを筐体９３の内壁に形成された凹部１０３、１０３に押し込み壁に押し当て挟持状態にして左リール紐９５ａ、右リール紐９５ｂの移動をロックし、それによりリール９４はロックされる。
摘んだ指でロック解除操作部９９を押し込むと腕部１０１、１０１の先端は内側に動いて左リール紐９５ａ、右リール紐９５ｂから離れそのロックを解除する。ロック解除操作部９９を摘み押し込んだまま上下に自在に移動させることができ、指を離すと圧縮コイルバネ１０２の付勢力により自動的にロック状態となる。
【００２６】
ロック解除操作部９９の下側には携帯電話Ｋを当てその取り付け位置を決めるための位置決め部１０４が設けられ、筐体９３の上部には該筐体９３の頭部の中央を凹み形成してなる最大限に巻き込まれ張った左リール紐９５ａ、右リール紐９５ｂを指や爪で摘み易くするための凹部１０５が設けられている。
【００２７】
＜第６の実施の形態＞
図１２、図１３に示す本発明を実施するための最良の第６の実施の形態において１０８は付勢巻取り式携帯補助具であって、この付勢巻取り式携帯補助具１０８は筐体１０９と、この筐体１０９の内部に設けられたリール９４と、このリール９４の内側に内設された該リール９４を付勢巻取り回転させる内端を筐体１０９に固定された発条固定軸１４に固定し外端をリール９４に固定してなる発条１０と、リール９４に巻き取られて筐体１０９の頂部中央の引き出し口１０７から該筐体１０９の外に引き出されてなるリール紐１１０と、リール９４の上方に設けられたリール紐１１０を通し該リール紐１１０の移動とロックを行なうロック機構部１１１とからなっている。
リール紐１１０の先端にはクリップ１０６が設けられている。
【００２８】
ロック機構部１１１は、円形中空形態のその頭部を筐体１０９の表に空けられた開口部１１２から出すように設けられた押し込みボタン形態のロック解除操作部１１３と、このロック解除操作部１１３の左右に設けられたスプリング受部１１４、１１４と、ロック解除操作部１１３に貫通されたリール紐１１０を通す紐通し部１１５と、スプリング受部１１４、１１４に支持されたロック解除操作部１１３を押し出し付勢状態にするスプリング１１６、１１６とからなっている。
通常、ロック解除操作部１１３はスプリング１１６、１１６に前方に向けて押し出し付勢状態にあるので、紐通し部１１５に通されているリール紐１１０は前方の持っていかれて、引き出し口１０７と紐通し部１１５はズレ状態となり、引き出し口１０７と紐通し部１１５で噛まれ挟まれた状態にされて移動できないロック状態にある。この状態ではリール９４もリール紐１１０の付勢引き状態でその回転がロックされた状態にある。
指で摘んでロック解除操作部１１３を指で押し込み操作すると、引き出し口１０７と紐通し部１１５は重なり状態となってそのロック状態は解除され、通されているリール紐１１０は移動が自在に行なえるようになる。ロック解除操作部１１３を指で押し込んだまま上下移動を自在に行なうことができ、指を離すとスプリング１１６、１１６の押し出し付勢力により自動的にロック状態となって、好みの位置に係留することが自在に行なえる。
【００２９】
図１３において、筐体１０９にカードケース１１７を接着して取り付けられ携帯補助具付き携帯品１１８を形成している。
カードケース１１７を筐体１０９のカバー側として形成することによりコスト低減を図ることができる。
【００３０】
＜第７の実施の形態＞
図１４に示す本発明を実施するための最良の第７の実施の形態において前記第６の実施の形態と主に異なる点は、リール９４に左リール紐１２０ａと右リール紐１２０ｂを重ね巻きし筐体１０９外に引き出された部位でループ１２１を形成し、ロック機構部をロック機構部１２２としてなる付勢巻取り式携帯補助具１２３を形成した点にある。
ロック機構部１２２は、筐体９４の開口部１１２から一部を出すように設けられた円形の押しボタン形態のロック解除操作部１２４と、このロック解除操作部１２４の指当て部１２７から後方に延びた中空の支柱部１２５と、この支柱部１２５の後部に設けられたロックフランジ部１２６と、ロック解除操作部１２４の指当て部１２７とロックフランジ部１２６の間に横凹形態に形成された紐通し部１２８、１２８と、支柱部１２５の中空部に一部を入れロック解除操作部１２４を押し出し付勢状態とする圧縮コイルバネ１２９と、筐体１０９に一体成形により設けられてなるロック解除操作部１２４を可動可能に収納する操作片収納部１３０と、この操作片収納部１３０に設けられた左リール紐１２０ａと右リール紐１２０ｂを通す紐通し部１３１、１３１、１３１、１３１とからなっている。
通常、ロック解除操作部１２４は圧縮コイルバネ１２９に前方に向けて押し出し付勢状態にあるので、紐通し部１２８、１２８に通されている左リール紐１２０ａと右リール紐１２０ｂは前方の持っていかれて、紐通し部１３１、１３１、１３１、１３１と紐通し部１２８、１２８はズレ状態となり、ロックフランジ部１２６と紐通し部１３１、１３１、１３１、１３１で噛まれ挟まれた状態にされて移動できないロック状態にある。この状態ではリール９４も左リール紐１２０ａと右リール紐１２０ｂの付勢引き状態のままその回転がロックされた状態にある。
指で摘んでロック解除操作部１２４を指で押し込み操作すると、紐通し部１３１、１３１、１３１、１３１と紐通し部１２８、１２８は重なり状態となってそのロック状態は解除され、通されているリール紐１１０は移動が自在に行なえるようになる。ロック解除操作部１２４を指で押し込んだまま上下移動を自在に行なうことができ、指を離すと圧縮コイルバネ１２９の押し出し付勢力により自動的にロック状態となって、好みの位置に係留することが自在に行なえる。
【００３１】
＜第８の実施の形態＞
図１５に示す本発明を実施するための最良の第８の実施の形態において前記第７の実施の形態と主に異なる点は、筐体１０９の蓋になる部位をカードケース１３４としてなる携帯補助具付き携帯品１３５を形成してなる点にある。
コストを低減をはかれるとともに、接着して取り付ける形態よりも薄くできる。
【００３２】
＜第９の実施の形態＞
図１６に示す本発明を実施するための最良の第9の実施の形態において１３８は携帯補助具付き携帯品であって、この携帯補助具付き携帯品１３８は折畳式携帯電話であって、携帯電話本体Bの後部側に前記第4の実施の形態の付勢巻取り式携帯補助具８９のロック機構部９０と付勢巻取り機構部９１を内設したものであるとともに、携帯電話本体Bの上部をディスプレー部Dから上部にはみ出した携帯電話本体B本体よりも薄形態のはみ出し部１３９に形成し、このはみ出し部１３９にロック機構部９０およびそのロック解除操作部４３を設けた構成としたものである。
左リール紐８８ａと右リール紐８８ｂとで首に掛けるループ１４２を形成している。
ディスプレー部Dの表面には太陽電池パネル１４４が設けられ、光のあるところでは自動的にバッテリー１４０に充電がなされるようになっていて、ディスプレー部Dは略直角に開いたところで確りとした停止状態（それ以上開くことが容易にできる）になるようにヒンジー部１４１が構成されている。
ロック解除操作部４３を伸縮柔軟性シート部材などのカバーを設けて、内部に埃等が入らないようにするのがよい。
【００３３】
＜第１０の実施の形態＞
図１７に示す本発明を実施するための最良の第１０の実施の形態において前記第９の実施の形態と主に異なる点は、携帯電話本体Bの上部をディスプレー部Dから上部にはみ出した携帯電話本体B本体おなじ厚さのはみ出し部１４３に形成した携帯補助具付き携帯品１４４を形成した点にある。
【００３４】
＜第１１の実施の形態＞
図１８に示す本発明を実施するための最良の第１１の実施の形態において１４５は携帯補助具付き携帯品であって、この携帯補助具付き携帯品１４５はICカードなどのカードを収納するカード収納部１４６を有するカード収納部本体１４７と、このカード収納部本体１４７の上部に突出して設けられたはみ出し部１４８と、このはみ出し部１４８に設けられた前部にロック解除操作部１２４を位置させてなるロック機構部１２２と、カード収納部本体１４７の裏に設けられた左右一対の左リール体１４９、右リール体１５０とからなる付勢巻取り機構部１５１と、左リール体１４９、右リール体１５０に付勢巻き取られ外に引き出され、ロック機構部１２２を通され、首に掛けるループ１５２を形成する左リール紐１５３ａ、右リール紐１５３ｂとからなっている。
左リール体１４９、右リール体１５０は筐体１５４と、この筐体１５４に収納された左リール紐１５３ａ、右リール紐１５３ｂを付勢巻取りするリール９４と、リール９４の内側に設けられた該リール９４を付勢巻取り回転させる内端を筐体１５４に一体的に形成された発条固定軸１４に固定し外端をリール９４に固定してなる発条１０とからなっている。
左リール体１４９、右リール体１５０はカード収納部本体１４７に接着などにより固定されている。カード収納部本体１４７を筐体１５４の蓋とする構成もよい。この場合カード収納部本体１４７は筐体１５４とともにその筐体の構成部といえ、発条固定軸などの軸を設けることが可能である。
ロック機構部１２２の詳細は図１４を参照。
【００３５】
＜第１２の実施の形態＞
図１９に示す本発明を実施するための最良の第１２の実施の形態において前記第１１実施の形態と主に異なる点は、ロック機構部１２２をはみ出し部の１４８の前部に設け、ロック機構部１２２の下方ではみ出し部１４８に左リール紐１５３ａ、右リール紐１５３ｂを通し裏側にまわするための紐通し孔１５８を設けてなる携帯補助具付き携帯品１５９を形成した点にある。
【００３６】
＜第１３の実施の形態＞
図２０に示す本発明を実施するための最良の第１３の実施の形態において前記第１１実施の形態と主に異なる点は、ロック機構部を左リール４５、右巻取リール４６を横並びにした付勢巻取り機構部４２とし、ケース本体１６２を付勢巻取り機構部４２とロック機構部１２２を収納する筐体とした携帯補助具付き携帯品１６３を形成した点にある。
裏側にはワイシャツの胸ポケットなどに係止するための弱い付勢力のクリップ１６４が設けられている。
左リール４５も右リール４６と同じように発条１０を有する構成として、２つのリールがするのもよい。
ロック機構部１２２の詳細は図１４を参照。
【００３７】
【産業上の利用可能性】
【００３８】
本発明は携帯電話などの携帯補助具を製造する産業で利用される。
【図面の簡単な説明】
【００３９】
【図１】本発明を実施するための最良の第１の実施の形態の正面図、側面図、平面図、背面図。
【図２】本発明を実施するための最良の第１の実施の形態の携帯電話を取り付けた状態の正面図、側面図、背面図。
【図３】本発明を実施するための最良の１実施の形態の巻取りロック機構を示す正面図および巻取りロック機構を示す側面図。
【図４】本発明を実施するための最良の第２の実施の形態の巻取りロック機構を示す正面図および巻取りロック機構を示すリール紐を省略した側面図。
【図５】本発明を実施するための最良の第２の実施の形態の正面図、背面図、携帯電話の背面図および携帯電話を取り付けた状態の背面図。
【図６】本発明を実施するための最良の第３の実施の形態の正面図、側面図および背面図。
【図７】本発明を実施するための最良の第３の実施の形態の内部構造を示す正面図およびその側面図。
【図８】本発明を実施するための最良の第３の実施の形態の携帯電話を取り付けた状態の正面図、その側面図およびその背面図。
【図９】本発明を実施するための最良の第４の実施の形態の内部構造を示す正面図、中央縦断面図および動作を示す内部構造側面図。
【図１０】本発明を実施するための最良の第５の実施の形態の正面図、携帯電話を取り付けた状態の側面図および携帯電話を取り付けた状態の正面図。
【図１１】本発明を実施するための最良の第５の実施の形態の内部構造と動作を示す平面図と正面図。
【図１２】本発明を実施するための最良の第６の実施の形態の正面図、側面図、内部構造を示す正面図およびロック機構部の動作説明図。
【図１３】本発明を実施するための最良の第６の実施の形態のカードケースを接着取り付けた状態の正面図、背面図、側面図。
【図１４】本発明を実施するための最良の第７の実施の形態の内部構造を正面図およびロック機構部の動作図。
【図１５】本発明を実施するための最良の第８の実施の形態の正面図、背面図および側面図。
【図１６】本発明を実施するための最良の第９の実施の形態のディスプレー部を少し開いた状態の側面図およびディスプレー部を閉じた状態の正面図。
【図１７】本発明を実施するための最良の第１０の実施の形態のディスプレー部を90度開いた状態の側面図およびディスプレー部を閉じた状態の正面図。
【図１８】本発明を実施するための最良の第１１の実施の形態の正面図、側面図および背面図。
【図１９】本発明を実施するための最良の第１２の実施の形態の正面図、側面図および背面図。
【図２０】本発明を実施するための最良の第１３の実施の形態の正面図、側面図および内部構造を示す正面図。
【符号の説明】
【００４０】
Ｋ：携帯電話、
Ｂ：携帯電話本体、
Ｄ：ディスプレー部、
１：付勢巻取り式携帯補助具、
２：筐体、
３：付勢巻取り機構部、
４：ループ紐、
４ａ：左リール紐、
４ｂ：右リール紐、
５：ロック解除操作部、
６：ロック機構部、
８：左リール、
９：右リール、
１０：発条、
１１：付勢回転体、
１２：リール軸、
１３：リール軸、
１４：発条固定軸、
１７：頭部、
１８：ロック部、
１９：紐通し部、
２０：圧縮コイルバネ、
２１：コイル入れ部、
２２：開口部、
２３：左引出し口、
２４：右引出し口、
２５：紐通し口形成体、
２６：左リール紐通し口、
２７：右リール紐通し口、
２８：紐受突起、
２９：紐受突起、
３０：ループ面ファスナー、
３１：フック面ファスナー、
３２：ループ面ファスナー、
３３：細吊り紐、
３４：丸環、
３５：紐掛け部、
３６、３６ａ、３６ｂ、３６ｃ、３６ｄ：紐案内コロ、
３７：顎部、
３９：開口部、
４０：付勢巻取り式携帯補助具、
４１：筐体、
４２：付勢巻取り機構部、
４３：ロック解除操作部、
４４：ロック機構部、
４５：左リール、
４６：右リール、
４７ａ、４７ｂ：回転阻止突起
４８：ロック突起、
４９：操作部支持部、
５０：歯車、
５１ａ、５１ｂ：フランジ、
５２ａ、５２ｂ：携行補助具取付部、
５３：着脱パーツ、
５５：雄パーツ、
５６：雌パーツ、
５７：平紐、
６０：付勢巻取り式携帯補助具、
６１：筐体、
６２：付勢巻取り機構部、
６３ａ：左リール紐、
６３ｂ：右リール紐、
６４：ループ紐、
６５：ロック解除操作部、
６６：開口部、
６７：ロック機構部、
６８：巻取り機構筐体部、
６９：ロック機構筐体部、
７０：顎部、
７１：フック掛け穴、
７２：フック部、
７３：フック機構部、
７４：差込片、
７５：発条固定軸、
７６：リール、
７７：発条、
７８ａ、７８ｂ、７８ｃ、７８ｄ：案内コロ、
７９ａ、７９ｂ：ロック部、
８０：操作駒、
８１：操作駒、
８２：押し込み部、
８３：スプリング、
８４：スプリング受部、
８５：片差込部、
８６：リール、
８７：筐体、
８８ａ：左リール紐、
８８ｂ：右リール紐、
８９：付勢巻取り式携帯補助具、
９０：ロック機構部、
９１：付勢巻取り機構部、
９２：付勢巻取り式携帯補助具、
９３：筐体、
９４：リール、
９５ａ：左リール紐、
９５ｂ：右リール紐、
９６：ロック機構部、
９７：クリップ、
９８：開口部、
９９：ロック解除操作部、
１００：腕支持肩部、
１０１：腕部、
１０２：圧縮コイルバネ、
１０３：凹部、
１０４：位置決め部、
１０５：凹部、
１０７：引き出し口、
１０８：付勢巻取り式携帯補助具、
１０９：筐体、
１１０：リール紐、
１１１：ロック機構部、
１１２：開口部、
１１３：ロック解除操作部、
１１４：スプリング受部、
１１５：紐通し部、
１１６：スプリング、
１２０ａ：左リール紐、
１２０ｂ：右リール紐、
１２１：ループ、
１２２：ロック機構部、
１２３：付勢巻取り式携帯補助具、
１２４：ロック解除操作部、
１２５：支柱部、
１２６：ロックフランジ部、
１２７：指当て部、
１２８：紐通し部、
１２９：圧縮コイルバネ、
１３０：操作片収納部、
１３１：紐通し部、
１３４：カードケース、
１３５：携帯補助具付き携帯品、
１３８：携帯補助具付き携帯品、
１３９：はみ出し部、
１４０：バッテリー、
１４１：ヒンジー部、
１４５：携帯補助具付き携帯品、
１４６：カード収納部、
１４７：カード収納部本体、
１４８：はみ出し部、
１４９：左リール体、
１５０：右リール体、
１５１：付勢巻取り機構部、
１５２：ループ、
１５３ａ：左リール紐、
１５３ｂ：右リール紐、
１５４：筐体、
１５５：カード挿入口、
１５８：紐通し孔、
１５９：携帯補助具付き携帯品、
１６２：ケース本体、
１６３：携帯補助具付き携帯品、
１６４：クリップ。